(57)【要約】【課題】伝送効率の優れたスケジューリングと、効率の良い受信状態情報の通知との両立【解決手段】端末装置から受信した受信状態情報に基づき、該端末装置に送信データを送信するチャネルを割り当てる基地局装置において、端末装置各々に送信するデータ量の指標となる値であるデータ量指標に基づき、少なくとも１つの前記チャネルをグループ化する複数のグループ化方式の中から端末装置毎に１つのグループ化方式を選択し、端末装置毎に選択したグループ化方式によるグループ毎の受信状態を表す受信状態情報の要求を決定する要求決定部と、決定した要求を表す通知要求情報を送信する要求送信部とを具備することを特徴とする基地局装置。【選択図】図１
2008271200.tif 000002
【特許請求の範囲】
【請求項１】
端末装置から受信した受信状態情報に基づき、該端末装置に送信データを送信するチャネルを割り当てる基地局装置において、
前記端末装置各々に送信するデータ量の指標となる値であるデータ量指標に基づき、少なくとも１つの前記チャネルをグループ化する複数のグループ化方式の中から前記端末装置毎に１つのグループ化方式を選択し、前記端末装置毎に前記選択したグループ化方式によるグループ毎の受信状態を表す受信状態情報の要求を表す通知要求情報を生成する要求生成部と、
前記生成した通知要求情報を送信する要求送信部と
を具備することを特徴とする基地局装置。
【請求項２】
前記グループ化方式各々は、前記複数のチャネルの各々がいずれかのグループに含まれるグループ化方式であることを特徴とする請求項１記載の基地局装置。
【請求項３】
前記グループ化方式各々は、１つあるいは隣接する複数のチャネルをグループ化するグループ化方式であることを特徴とする請求項１記載の基地局装置。
【請求項４】
前記要求生成部は、前記データ量指標が表すデータ量が多い端末装置ほど、グループの数が多い前記グループ化方式を選択することを特徴とする請求項１から請求項３のいずれかの項に記載の基地局装置。
【請求項５】
前記要求生成部は、前記データ量指標に加えて、前記端末装置の受信状態の周波数変動の指標となる値である周波数変動指標に基づき、前記端末装置毎に１つのグループ化方式を選択すること
を特徴とする請求項１から請求項４のいずれかの項に記載の基地局装置。
【請求項６】
前記要求生成部は、前記データ量指標が表すデータ量が多く、かつ、前記周波数変動指標が表す周波数変動が大きい端末装置ほど、グループの数が多い前記グループ化方式を選択することを特徴とする請求項５に記載の基地局装置。
【請求項７】
前記周波数変動指標は、各端末装置と当該基地局装置との間の伝搬路の遅延分散であることを特徴とする請求項５または請求項６に記載の基地局装置。
【請求項８】
前記要求生成部は、前記データ量指標に加えて、前記端末装置の受信状態の時間変動の指標となる値である時間変動指標に基づき、前記端末装置毎に１つのグループ化方式を選択すること
を特徴とする請求項１から請求項４のいずれかの項に記載の基地局装置。
【請求項９】
前記要求生成部は、前記データ量指標が表すデータ量が多く、かつ、前記時間変動指標が表す時間変動が小さい端末装置ほど、グループの数が多い前記グループ化方式を選択することを特徴とする請求項８に記載の基地局装置。
【請求項１０】
前記時間変動指標は、各端末装置と当該基地局装置との間の伝搬路の最大ドップラー周波数であることを特徴とする請求項８または請求項９に記載の基地局装置。
【請求項１１】
前記要求生成部は、初回は、グループの数が最も少ないグループ化方式を選択することを特徴とする請求項１から請求項１０のいずれかの項に記載の基地局装置。
【請求項１２】
各端末装置に送信する通信データを蓄積する送信バッファ部を具備し、
一の端末装置の前記データ量指標は、前記送信バッファ部に蓄積されている前記一の端末装置に送信する通信データの量であること
を特徴とする請求項１から請求項１１のいずれかの項に記載の基地局装置。
【請求項１３】
一の端末装置の前記データ量指標は、前記一の端末装置に送信する通信データのビットレートであること
を特徴とする請求項１から請求項１２のいずれかの項に記載の基地局装置。
【請求項１４】
前記各端末装置からの受信状態情報を含む信号を受信する受信部と、
前記受信状態情報に基づいて、前記各端末装置の各チャネルにおける受信状態を生成し、生成した前記各端末装置の各チャネルにおける受信状態に基づいて前記送信データにチャネルを割り当てるスケジューリング部と
を具備することを特徴とする請求項１から請求項１３のいずれかの項に記載の基地局装置。
【請求項１５】
前記スケジューリング部は、グループの数が多い前記グループ化方式が選択された端末装置宛の送信データから順に、チャネルを割り当てることを特徴とする請求項１４記載の基地局装置。
【請求項１６】
前記グループ毎の受信状態は、該グループを構成するチャネルの受信状態を表す値の平均値、中央値、最低値のうちのいずれかの値であることを特徴とする請求項１から請求項１５のいずれかの項に記載の基地局装置。
【請求項１７】
基地局装置に受信状態情報を送信し、該受信状態情報に基づき前記基地局装置が割り当てたチャネルにて前記基地局装置と通信する端末装置において、
少なくとも１つの前記チャネルをグループ化する複数のグループ化方式の中から、前記基地局装置により当該端末装置に送信されるデータ量の指標となる値であるデータ量指標に基づき選択された１つのグループ化方式によるグループ毎の受信状態を表す受信状態情報の要求を表す通知要求情報を、受信したデータから取得する要求取得部と、
前記取得した通知要求情報が要求する受信状態情報を生成する受信状態情報生成部と
を具備することを特徴とする端末装置。
【請求項１８】
前記受信状態情報生成部は、前記グループ毎の受信状態として、各グループに含まれるすべてのチャネルにおける受信状態の平均値、中央値、最低値のいずれかを示す受信状態情報を生成することを特徴とする請求項１７記載の端末装置。
【請求項１９】
受信状態情報を送信する端末装置と、受信した前記受信状態に基づき前記端末装置に送信データを送信するチャネルを割り当てる基地局装置とを具備する無線通信システムにおいて、
前記基地局装置は、
前記端末装置各々に送信するデータ量の指標となる値であるデータ量指標に基づき、少なくとも１つの前記チャネルをグループ化する複数のグループ化方式の中から前記端末装置毎に１つのグループ化方式を選択し、前記端末装置毎に前記選択したグループ化方式によるグループ毎の受信状態を表す受信状態情報の要求を表す通知要求情報を生成する要求生成部と、
前記生成した通知要求情報を送信する要求送信部と
を具備し、
前記端末装置は、
前記通知要求情報を、受信したデータから取得する種類取得部と、
前記取得した通知要求情報が要求する受信状態情報を生成する受信状態情報生成部と
を具備すること
を特徴とする無線通信システム。
【請求項２０】
受信状態情報を送信する端末装置と、受信した前記受信状態に基づき前記端末装置に通信データを送信するチャネルを割り当てる基地局装置とを具備する無線通信システムにおける受信状態通知方法において、
前記基地局装置が、前記端末装置各々に送信するデータ量の指標となる値であるデータ量指標に基づき、少なくとも１つの前記チャネルをグループ化する複数のグループ化方式の中から前記端末装置毎に１つのグループ化方式を選択し、前記端末装置毎に前記選択したグループ化方式によるグループ毎の受信状態を表す受信状態情報の要求を表す通知要求情報を生成する第１の過程と、
前記基地局装置が、前記生成した通知要求情報を送信する第２の過程と、
前記端末装置が、前記通知要求情報を、受信したデータから取得する第３の過程と、
前記端末装置が、前記通知要求情報が要求する受信状態情報を生成する第４の過程と、
前記端末装置が、前記生成した受信状態情報を、前記基地局装置に送信する第５の過程と
を備えることを特徴とする受信状態通知方法。
【請求項２１】
端末装置から受信した受信状態情報に基づき、該端末装置に通信データを送信するチャネルを割り当てる基地局装置が具備するコンピュータを、
前記端末装置各々に送信するデータ量の指標となる値であるデータ量指標に基づき、少なくとも１つの前記チャネルをグループ化する複数のグループ化方式の中から前記端末装置毎に１つのグループ化方式を選択し、前記端末装置毎に前記選択したグループ化方式によるグループ毎の受信状態を表す受信状態情報の要求を表す通知要求情報を生成する要求生成部、
前記生成した通知要求情報を送信する要求送信部
として動作させるプログラム。
【請求項２２】
基地局装置に受信状態情報を送信し、該受信状態情報に基づき前記基地局装置が割り当てたチャネルにて前記基地局装置と通信する端末装置が具備するコンピュータを、
少なくとも１つの前記チャネルをグループ化する複数のグループ化方式の中から、前記基地局装置により当該端末装置に送信されるデータ量の指標となる値であるデータ量指標に基づき選択された１つのグループ化方式によるグループ毎の受信状態を表す受信状態情報の要求を表す通知要求情報を、受信したデータから取得する要求取得部、
前記取得した通知要求情報が要求する受信状態情報を生成する受信状態情報生成部
として動作させるプログラム。
【発明の詳細な説明】
【技術分野】
【０００１】
本発明は、基地局装置、端末装置、無線通信システム、受信状態通知方法およびプログラム、特に、端末装置が受信信号から受信状態を測定し、その結果を基に端末装置に割り当てたチャネルで通信する基地局装置、端末装置、無線通信システム、受信状態通知方法およびプログラムに関する。
【背景技術】
【０００２】
通信システムにおいて通信の効率（システムのトータルスループットや伝送速度）を向上させるために、受信状態に応じて変調方式、チャネル符号化率、誤り訂正符号化方式、拡散率、コード多重数、送信電力のいずれか、またはそれらの任意の組み合わせ（以下、変調パラメータと記す）を決定する、適応変調方式が検討されている（非特許文献１）。
適応変調方式を採用した通信システムでは、受信信号電力、受信信号電力対雑音電力比（Signal to Noise power Ratio：ＳＮＲ）、受信信号電力対干渉電力比（Signal to Interference power Ratio：ＳＩＲ）、受信信号電力対干渉電力および雑音電力比（Signal to Interference plus Noise power Ratio：ＳＩＮＲ）、搬送波電力対雑音電力比（Carrier to Noise power Ratio：ＣＮＲ）、搬送波電力対干渉電力比（Carrier to Interference power Ratio：ＣＩＲ）、搬送波電力対干渉電力および雑音電力比（Carrier to Interference plus Noise power Ratio：ＣＩＮＲ）、希望信号電力対非希望電力比（Desired to Undesired signal power Ratio：ＤＵＲ）、１シンボル当たりの平均受信エネルギー対雑音電力密度比（Energy per symbol over Noise spectral density ratio：Ｅｓ／Ｎ０）、あるいは１ビット当たりの平均受信エネルギー対雑音電力密度比（Energy per bit over Noise spectral density ratio：Ｅｂ／Ｎ０）などの伝搬路状態、あるいはこれら伝搬路状態に応じて選択された変調パラメータなどの伝送速度にかかわる指標を受信状態情報として通信相手装置に通知する必要がある。
【０００３】
また、複数のサブキャリアを用いて情報を伝送する直交周波数分割多重（Orthogonal Frequency Division Multiplex；以下、ＯＦＤＭという）方式などを用いたマルチキャリア通信システムにおいては、上記変調パラメータを、１つのサブキャリアまたは幾つかのサブキャリアからなるチャネル毎に決定する適応変調方式が検討されている（非特許文献２）。マルチキャリア通信システムにおける適応変調方式では、チャネル毎に受信状態情報を通信相手装置に通知する必要がある。
さらに、基地局装置と複数の端末装置とから構成され、基地局装置から端末装置への通信（下りリンク）においてマルチキャリア通信を用いる通信システムでは、下りリンク信号の各端末装置における各チャネルの受信状態に応じて、チャネルを各端末装置に割り当てる適応スケジューリングを行い、さらに適応変調を行う方式が検討されている（非特許文献３）。
【０００４】
上記のようなシステムでは、上りリンクの制御チャネル等を用いて、各端末装置が各チャネルに関する受信状態情報を基地局装置へ通知する必要があるため、端末装置数およびチャネル数に比例して受信状態情報の情報量が膨大になるという問題があった。 
このため、端末装置毎に、全チャネルの受信状態の平均値のみを通知する方法（非特許文献１）、複数のサブキャリアをブロック化し、伝搬路環境の変化に応じて、ブロックに含まれるサブキャリア数を適応的に変化させる方式が提案されている（例えば、特許文献１、特許文献２）。
【非特許文献１】岸山他「下りリンクＶＳＦ−ＯＦＣＤＭブロードバンド無線アクセスにおける適応変復調・チャネル符号化のスループット特性の実験結果」、電子情報通信学会技術研究報告、２００３年５月、ＲＣＳ２００３−２５
【非特許文献２】前原他「サブキャリア適応変調を用いたＯＦＤＭ／ＴＤＤ伝送方式の検討」、２００１年電子情報通信学会総合大会、２００１年３月、Ｂ−５−１００、ｐ．４９８
【非特許文献３】「ＣＱＩ  ｒｅｐｏｒｔ  ａｎｄ  ｓｃｈｅｄｕｌｉｎｇ  ｐｒｏｃｅｄｕｒｅ」、３ＧＰＰ、ＴＳＧ−ＲＡＮ  ＷＧ１  Ｍｅｅｔｉｎｇ  ＃４２ｂｉｓ、Ｒ１−０５１０４５、２００５年１０月
【特許文献１】特開２００５−１６００７９号公報
【特許文献２】特開２００３−１６９０３６号公報
【発明の開示】
【発明が解決しようとする課題】
【０００５】
しかしながら、上述の従来のシステムにあっては、受信状態情報の情報量の削減と、優れた伝送効率の達成とが両立できないという問題がある。
例えば、全チャネルの受信状態の平均値のみを通知する方法では、伝搬路の周波数選択性を利用して端末装置をそれぞれの受信状態が良好なチャネルに割り当てるスケジューリングができないため、システム全体での伝送効率が低下してしまうという問題があった。さらに、それぞれのチャネルの受信状態に応じた適応変調はできないため、平均値よりも受信状態の良いチャネルでは伝送速度が低くなりすぎて非効率となり、平均値よりも受信状態の悪いチャネルでは誤り率特性が劣化してしまうという問題点があった。
また、伝搬路環境の変化に応じて、複数のサブキャリアをブロック化する方法では、ある程度は情報量を削減することができるが、伝搬路環境の変化のみに基づいてブロックに含まれるサブキャリア数を適応的に変化させるため、チャネル毎の詳細な受信状態情報を必要としない端末装置についても詳細な受信状態情報が通知されるため、余分な情報量により非効率となるという問題点があった。
【０００６】
本発明は、このような事情に鑑みてなされたもので、その目的は、受信状態情報の総通知量を抑えながら適応変調および適応スケジューリングを可能とすることで優れた伝送効率が得られる基地局装置および通信システムを提供することにある。
【課題を解決するための手段】
【０００７】
この発明は上述した課題を解決するためになされたもので、本発明の基地局装置は、端末装置から受信した受信状態情報に基づき、該端末装置に送信データを送信するチャネルを割り当てる基地局装置において、前記端末装置各々に送信するデータ量の指標となる値であるデータ量指標に基づき、少なくとも１つの前記チャネルをグループ化する複数のグループ化方式の中から前記端末装置毎に１つのグループ化方式を選択し、前記端末装置毎に前記選択したグループ化方式によるグループ毎の受信状態を表す受信状態情報の要求を表す通知要求情報を生成する要求生成部と、前記生成した通知要求情報を送信する要求送信部とを具備することを特徴とする。
【０００８】
これにより、基地局装置は、その要求生成部が端末装置各々に要求する受信状態情報のグループ化方式を選択する際に、各端末装置についてのデータ量指標に基づき、スケジューリングによりシステム全体の伝送効率を上げる効果が期待できる端末装置か否かを判定し、効果が期待できる端末装置については、より効率的なスケジューリングができる種類のグループ化方式とし、期待できる効果が少ない端末装置については、最低限の情報が得られるグループ化方式、すなわちデータ量の少ない種類とすることで、伝送効率を上げつつ、受信状態情報のデータ量を抑制することができるので、伝送効率の優れたスケジューリングと、効率の良い受信状態情報の通知との両立が可能となる。
【０００９】
また、本発明の基地局装置は、上述の基地局装置であって、前記グループ化方式各々は、前記複数のチャネルの各々がいずれかのグループに含まれるグループ化方式であることを特徴とする。
【００１０】
また、本発明の基地局装置は、上述の基地局装置であって、前記グループ化方式各々は、１つあるいは隣接する複数のチャネルをグループ化するグループ化方式であることを特徴とする。
【００１１】
また、本発明の基地局装置は、上述のいずれかの基地局装置であって、前記要求生成部は、前記データ量指標が表すデータ量が多い端末装置ほど、グループの数が多い前記グループ化方式を選択することを特徴とする。
【００１２】
これにより、基地局装置は、その要求生成部が端末装置各々に要求する受信状態情報のグループ化方式を選択する際に、データ量指標が表すデータ量の多い端末装置ほど、スケジューリングによりシステム全体の伝送効率を上げる効果が期待できるので、データ量の多い端末装置ほど、スケジューリングを効果的に行えるグループの数が多いグループ化方式とすることで、伝送効率を上げつつ、受信状態情報のデータ量を抑制することができるので、伝送効率の優れたスケジューリングと、効率の良い受信状態情報の通知との両立が可能となる。
【００１３】
また、本発明の基地局装置は、上述のいずれかの基地局装置であって、前記要求生成部は、前記データ量指標に加えて、前記端末装置の受信状態の周波数変動の指標となる値である周波数変動指標に基づき、前記端末装置毎に１つのグループ化方式を選択することを特徴とする。
【００１４】
これにより、基地局装置は、その要求生成部が端末装置各々に要求する受信状態情報のグループ化方式を決定する際に、各端末装置についてのデータ量指標と周波数変動指標とに基づき、スケジューリングによりシステム全体の伝送効率を上げる効果が期待できる端末装置か否かを判定し、効果が期待できる端末装置については、より効率的なスケジューリングができるグループ化方式の受信状態情報とし、期待できる効果が少ない端末装置については、最低限の情報が得られるグループ化方式の受信状態情報、すなわちデータ量の少ないグループ化方式の受信状態情報とすることで、伝送効率を上げつつ、受信状態情報のデータ量を抑制することができるので、伝送効率の優れたスケジューリングと、効率の良い受信状態情報の通知との両立が可能となる。
【００１５】
また、本発明の基地局装置は、上述の基地局装置であって、前記要求生成部は、前記データ量指標が表すデータ量が多く、かつ、前記周波数変動指標が表す周波数変動が大きい端末装置ほど、グループの数が多い前記グループ化方式を選択することを特徴とする。
【００１６】
これにより、基地局装置は、その要求生成部が端末装置各々に要求する受信状態情報のグループ化方式を決定する際に、各端末装置についてのデータ量指標と周波数変動指標とに基づき、スケジューリングによりシステム全体の伝送効率を上げる効果が期待できる端末装置か否かを判定し、効果が期待できるデータ量が多く、かつ、周波数変動が大きい端末装置については、より効率的なスケジューリングができるグループ数の多いグループ化方式の受信状態情報とし、期待できる効果が少ない端末装置については、最低限の情報が得られるグループ数の少ないグループ化方式の受信状態情報、すなわちデータ量の少ないグループ化方式の受信状態情報とすることで、伝送効率を上げつつ、受信状態情報のデータ量を抑制することができるので、伝送効率の優れたスケジューリングと、効率の良い受信状態情報の通知との両立が可能となる。
【００１７】
また、本発明の基地局装置は、上述のいずれかの基地局装置であって、前記周波数変動指標は、各端末装置と当該基地局装置との間の伝搬路の遅延分散であることを特徴とする。
【００１８】
また、本発明の基地局装置は、上述のいずれかの基地局装置であって、前記要求生成部は、前記データ量指標に加えて、前記端末装置の受信状態の時間変動の指標となる値である時間変動指標に基づき、前記端末装置毎に１つのグループ化方式を選択することを特徴とする。
【００１９】
これにより、基地局装置は、その要求生成部が端末装置各々に要求する受信状態情報のグループ化方式を決定する際に、各端末装置についてのデータ量指標と時間変動指標とに基づき、スケジューリングによりシステム全体の伝送効率を上げる効果が期待できる端末装置か否かを判定し、効果が期待できる端末装置については、より効率的なスケジューリングができるグループ化方式の受信状態情報とし、期待できる効果が少ない端末装置については、最低限の情報が得られるグループ化方式の受信状態情報、すなわちデータ量の少ないグループ化方式の受信状態情報とすることで、伝送効率を上げつつ、受信状態情報のデータ量を抑制することができるので、伝送効率の優れたスケジューリングと、効率の良い受信状態情報の通知との両立が可能となる。
【００２０】
また、本発明の基地局装置は、上述の基地局装置であって、前記要求生成部は、前記データ量指標が表すデータ量が多く、かつ、前記時間変動指標が表す時間変動が小さい端末装置ほど、グループの数が多い前記グループ化方式を選択することを特徴とする。
【００２１】
これにより、基地局装置は、その要求生成部が端末装置各々に要求する受信状態情報のグループ化方式を決定する際に、各端末装置についてのデータ量指標と時間変動指標とに基づき、スケジューリングによりシステム全体の伝送効率を上げる効果が期待できる端末装置か否かを判定し、効果が期待できるデータ量が多く、かつ、時間変動が小さい端末装置については、より効率的なスケジューリングができるグループ数の多いグループ化方式の受信状態情報とし、期待できる効果が少ない端末装置については、最低限の情報が得られるグループ数の少ないグループ化方式の受信状態情報、すなわちデータ量の少ないグループ化方式の受信状態情報とすることで、伝送効率を上げつつ、受信状態情報のデータ量を抑制することができるので、伝送効率の優れたスケジューリングと、効率の良い受信状態情報の通知との両立が可能となる。
【００２２】
また、本発明の基地局装置は、上述のいずれかの基地局装置であって、前記時間変動指標は、各端末装置と当該基地局装置との間の伝搬路の最大ドップラー周波数であることを特徴とする。
【００２３】
また、本発明の基地局装置は、上述のいずれかの基地局装置であって、前記要求生成部は、初回は、グループの数が最も少ないグループ化方式を選択することを特徴とする。
【００２４】
また、本発明の基地局装置は、上述のいずれかの基地局装置であって、各端末装置に送信する通信データを蓄積する送信バッファ部を具備し、一の端末装置の前記データ量指標は、前記送信バッファ部に蓄積されている前記一の端末装置に送信する通信データの量であることを特徴とする。
【００２５】
また、本発明の基地局装置は、上述のいずれかの基地局装置であって、一の端末装置の前記データ量指標は、前記一の端末装置に送信する通信データのビットレートであることを特徴とする。
【００２６】
また、本発明の基地局装置は、上述のいずれかの基地局装置であって、前記各端末装置からの受信状態情報を含む信号を受信する受信部と、前記受信状態情報に基づいて、前記各端末装置の各チャネルにおける受信状態を生成し、生成した前記各端末装置の各チャネルにおける受信状態に基づいて前記送信データにチャネルを割り当てるスケジューリング部とを具備することを特徴とする。
【００２７】
これにより、基地局装置は、そのスケジューリング部が送信データにチャネルを割り当てる際に、送信データの送り先の端末装置の受信状態情報に基づき、該端末装置の受信状態の良いチャネルを該送信データに割り当てることで、伝送効率を上げることができる。
【００２８】
また、本発明の基地局装置は、上述のいずれかの基地局装置であって、前記スケジューリング部は、グループの数が多い前記グループ化方式が選択された端末装置宛の送信データから順に、チャネルを割り当てることを特徴とする。
【００２９】
これにより、基地局装置は、そのスケジューリング部が送信データにチャネルを割り当てる際に、送信データの送り先の端末装置の受信状態情報に基づき、より効率的なスケジューリングができるグループ数の多いグループ化方式の受信状態情報の端末装置の送信データに優先的にチャネルを割り当てることで、伝送効率を上げることができる。
【００３０】
また、本発明の基地局装置は、上述のいずれかの基地局装置であって、前記グループ毎の受信状態は、該グループを構成するチャネルの受信状態を表す値の平均値、中央値、最低値のうちのいずれかの値であることを特徴とする。
【００３１】
また、本発明の端末装置は、基地局装置に受信状態情報を送信し、該受信状態情報に基づき前記基地局装置が割り当てたチャネルにて前記基地局装置と通信する端末装置において、少なくとも１つの前記チャネルをグループ化する複数のグループ化方式の中から、前記基地局装置により当該端末装置に送信されるデータ量の指標となる値であるデータ量指標に基づき選択された１つのグループ化方式によるグループ毎の受信状態を表す受信状態情報の要求を表す通知要求情報を、受信したデータから取得する要求取得部と、前記取得した通知要求情報が要求する受信状態情報を生成する受信状態情報生成部とを具備することを特徴とする。
【００３２】
また、本発明の端末装置は、上述の端末装置であって、前記受信状態情報生成部は、前記グループ毎の受信状態として、各グループに含まれるすべてのチャネルにおける受信状態の平均値、中央値、最低値のいずれかを示す受信状態情報を生成することを特徴とする。
【００３３】
また、本発明の無線通信システムは、受信状態情報を送信する端末装置と、受信した前記受信状態に基づき前記端末装置に送信データを送信するチャネルを割り当てる基地局装置とを具備する無線通信システムにおいて、前記基地局装置は、前記端末装置各々に送信するデータ量の指標となる値であるデータ量指標に基づき、少なくとも１つの前記チャネルをグループ化する複数のグループ化方式の中から前記端末装置毎に１つのグループ化方式を選択し、前記端末装置毎に前記選択したグループ化方式によるグループ毎の受信状態を表す受信状態情報の要求を表す通知要求情報を生成する要求生成部と、前記生成した通知要求情報を送信する要求送信部とを具備し、前記端末装置は、前記通知要求情報を、受信したデータから取得する種類取得部と、前記取得した通知要求情報が要求する受信状態情報を生成する受信状態情報生成部とを具備することを特徴とする。
【００３４】
また、本発明の受信状態通知方法は、受信状態情報を送信する端末装置と、受信した前記受信状態に基づき前記端末装置に通信データを送信するチャネルを割り当てる基地局装置とを具備する無線通信システムにおける受信状態通知方法において、前記基地局装置が、前記端末装置各々に送信するデータ量の指標となる値であるデータ量指標に基づき、少なくとも１つの前記チャネルをグループ化する複数のグループ化方式の中から前記端末装置毎に１つのグループ化方式を選択し、前記端末装置毎に前記選択したグループ化方式によるグループ毎の受信状態を表す受信状態情報の要求を表す通知要求情報を生成する第１の過程と、前記基地局装置が、前記生成した通知要求情報を送信する第２の過程と、前記端末装置が、前記通知要求情報を、受信したデータから取得する第３の過程と、前記端末装置が、前記通知要求情報が要求する受信状態情報を生成する第４の過程と、前記端末装置が、前記生成した受信状態情報を、前記基地局装置に送信する第５の過程とを備えることを特徴とする。
【００３５】
また、本発明のプログラムは、端末装置から受信した受信状態情報に基づき、該端末装置に通信データを送信するチャネルを割り当てる基地局装置が具備するコンピュータを、前記端末装置各々に送信するデータ量の指標となる値であるデータ量指標に基づき、少なくとも１つの前記チャネルをグループ化する複数のグループ化方式の中から前記端末装置毎に１つのグループ化方式を選択し、前記端末装置毎に前記選択したグループ化方式によるグループ毎の受信状態を表す受信状態情報の要求を表す通知要求情報を生成する要求生成部、前記生成した通知要求情報を送信する要求送信部として動作させる。
【００３６】
また、本発明のプログラムは、基地局装置に受信状態情報を送信し、該受信状態情報に基づき前記基地局装置が割り当てたチャネルにて前記基地局装置と通信する端末装置が具備するコンピュータを、少なくとも１つの前記チャネルをグループ化する複数のグループ化方式の中から、前記基地局装置により当該端末装置に送信されるデータ量に基づき選択された１つのグループ化方式によるグループ毎の受信状態を表す受信状態情報の要求を表す通知要求情報を、受信したデータから取得する要求取得部、前記取得した通知要求情報が要求する受信状態情報を生成する受信状態情報生成部として動作させる。
【発明の効果】
【００３７】
本発明によれば、基地局装置は、その要求決定部が端末装置各々に要求する受信状態情報のグループ化方式を選択する際に、各端末装置についてのデータ量指標に基づき、スケジューリングによりシステム全体の伝送効率を上げる効果が期待できる端末装置か否かを判定し、効果が期待できる端末装置については、より効率的なスケジューリングができる種類のグループ化方式とし、期待できる効果が少ない端末装置については、最低限の情報が得られるグループ化方式、すなわちデータ量の少ない種類とすることで、伝送効率を上げつつ、受信状態情報のデータ量を抑制することができるので、伝送効率の優れたスケジューリングと、効率の良い受信状態情報の通知との両立が可能となる。
【発明を実施するための最良の形態】
【００３８】
以下の各実施の形態の説明では、通信システムとしてマルチキャリア通信システムであるＯＦＤＭシステムを想定し、少なくとも１つのサブキャリアからなるチャネル毎に適応変調および適応スケジューリング（チャネルの割り当て）を行うものとして説明するが、これに限定されるものではない。例えば拡散技術を用いたＭＣ−ＣＤＭＡ（Multi Carrier-Code Division Multiple Access）システムにおいても、本発明を適用することができる。また、本発明が適用できる適応変調および適応スケジューリングの単位はチャネルの場合に限らず、例えばＭＩＭＯ（Multiple Input Multiple Output）などのＳＤＭＡ（Space Division Multiple Access：空間分割多元接続）において送信アンテナあるいは固有モードが示す複数のチャネル、ＣＤＭＡにおける複数のコードチャネル、あるいはこれらの組み合わせとしてのチャネルなど、複数のチャネルを用いて通信を行なう他のシステムであって、チャネル毎に受信状態が異なる可能性があるシステムにおいて、本発明を適用することができる。
【００３９】
また、以下の各実施形態は、セルラーシステムを想定し、基地局装置から端末装置へのＯＦＤＭベースの下りリンクと端末装置から基地局装置へ受信状態情報を通知する上りリンクについて説明しているが、これに限られるものではない。二つの無線通信装置間で、チャネルの受信状態情報を通知する側（受信状態情報送信機能を有する側）を端末装置、通知された受信状態情報に基づいて各端末装置への送信データを各チャネルに割り当て適応変調を行う側（スケジューリング機能を行う側）を基地局装置とする。一つの無線通信装置が両方の機能を有する場合もあり得る。本明細書では、無線通信装置は、無線通信を行なう装置であり、基地局装置、端末装置、無線機、携帯端末装置、携帯電話等を含む。本発明は、複数の無線通信装置のいずれかがスケジューリング機能と適応変調を実施し、他の無線通信装置が受信状態情報送信機能を実施することができる関係にある無線通信装置同士へ適用することができる。
【００４０】
また、以下の各実施の形態では、基地局装置と複数の端末装置とから構成されるＦＤＤを採用する通信システムであり、下りリンクの通信においてＯＦＤＭの適応変調システムを想定し、上りリンクの通信ではＯＦＤＭと適応変調は行わないシステムを想定しているが、これに限定されるものではない。
【００４１】
また、以下の各実施形態の説明では、受信状態情報としてパイロットシンボルに基づき算出した指標、例えば、搬送波電力対雑音電力比ＣＮＲを用いるとして説明する。この他の指標であるＲＳＳＩ（Received Signal Strength Indicator）、ＳＮＲ、ＳＩＲ、ＳＩＮＲ、ＣＩＲ、ＣＩＮＲ、など受信信号電力や搬送波電力に関連して受信状態を示す指標などを用いても良い。また、受信状態情報として、変調方式とチャネル符号化率の組み合わせであるＭＣＳ（Modulation and Coding Scheme）や伝送レートなどの変調パラメータを用いても良い。
【００４２】
［第１の実施形態］
以下、図面を参照して、本発明の第１の実施形態について説明する。
本実施形態では、各端末装置宛の下りリンク送信データ量に基づいて、各端末装置が受信状態を報告する際のグループ化方式を基地局装置が決定する場合について説明する。
【００４３】
図１は、本実施形態における下りリンクのサブフレーム構成の一例を示した図である。図１に示すように、本実施形態におけるチャネルとは、１つあるいは複数のサブキャリアを意味している。またここで、サブフレームは送信単位を意味するものとし、これを１回のスケジューリング処理においてチャネルの割り当てを行う範囲とする。また、サブフレームを時間軸方向に所定の時間長ＴＴＩ（Transmission Time Interval）でＴ個（Ｔは自然数）に分割し、１チャネルにおける１ＴＴＩ内をスケジューリングの単位（以下ではリソースブロックと呼ぶ）とする場合について説明する。
【００４４】
図１の右上にサブフレーム中で、最初に送信されるリソースブロックのうちの一つの詳細を示す。１つのチャネルは１０のサブキャリアに分割され、１つのＴＴＩは１０のＯＦＤＭシンボルに分割される。このリソースブロックにおける第１番目のＯＦＤＭシンボルには周波数が最小と最大のサブキャリアにパイロットシンボルが配置され、その他にも２つのパイロットシンボルが等間隔に配置される。パイロットシンボルが配置されていないサブキャリアには下りリンク制御情報シンボルが配置される。第２番目のＯＦＤＭシンボルの全てのサブキャリアには下りリンク制御情報シンボルが配置される。第３番目以降のＯＦＤＭシンボルには、データシンボルが配置される。ただし、第５番目のＯＦＤＭシンボルの周波数が小さい方から第２、５、８番目のサブキャリアにはパイロットシンボルが配置され、第９番目のＯＦＤＭシンボルの第３、６、９番目のサブキャリアにはパイロットシンボルが配置される。
【００４５】
また、図１の右下には、第２番目以降に送信されるリソースブロックの詳細を示す。このリソースブロックは上述のリソースブロックと略同一であるが、下りリンク制御情報シンボルが配置されておらず、その代わりにデータシンボルが配置される。なお、本発明の適用範囲は図１のサブフレーム構成に限定されるものではなく、複数のチャネルを用いて通信を行うシステムにおいて、各端末装置における各チャネルの受信状態が異なる可能性のあるシステムに対して、本発明は適用可能である。
【００４６】
図２は、本実施形態における基地局装置２００の構成を示す概略ブロック図である。基地局装置２００は、送信バッファ部２０１、符号化部２０２、マッピング部２０３、ＩＦＦＴ（Inverse Fast Fourier Transformation：高速逆フーリエ変換）部２０４、ＧＩ（Guard Interval：ガード期間）挿入部２０５、Ｄ／Ａ（Digital-to-Analog）変換部２０６、無線送信部２０７、アンテナ部２０８、無線受信部２０９、Ａ／Ｄ（Analog-to-Digital）変換部２１０、デマッピング部２１１、復号化部２１２、通知要求決定部２１３、スケジューリング部２１４、下りリンク制御情報生成部２１５、パイロット生成部２１６、受信状態情報記憶部２１７を具備する。
【００４７】
まず、基地局装置２００が下りリンク信号を送信する手順を図２を用いて説明する。受信状態情報を受信する手順については、後述する。送信バッファ部２０１は、入力された送信データを送信先の端末装置３００毎にバッファに蓄積し、バッファに蓄積されている各端末装置３００宛の送信データ量の情報を、通知要求決定部２１３へ出力する。この送信バッファ部２０１が出力する送信データ量の情報が、本実施形態における端末装置３００各々に送信するデータ量の指標となる値である。通知要求決定部（要求生成部）２１３は、送信バッファ部２０１からの各端末装置３００宛の送信データ量情報に基づいて、各端末装置３００に対して、グループ化方式１によるグループ毎に、該グループに含まれる全チャネルの受信状態の平均をとった値を表す受信状態情報（グループ化方式１におけるグループ個数分の情報；以下、「グループ化１受信状態情報」という）と、グループ化方式２によるグループ毎に、該グループに含まれる全チャネルの受信状態の平均をとった値を表す受信状態情報（グループ化方式２におけるグループ個数分の情報；以下、「グループ化２受信状態情報」という）とのどちらの種類の受信状態情報を通知要求するかを決定し、該決定結果である受信状態情報の種類を表す情報を通知要求情報として下りリンク制御情報生成部２１５へ出力する。
【００４８】
なお、ここで全チャネルとは、各端末装置３００に関してそれぞれの端末装置３００宛の送信データが割り当てられる可能性のある全てのチャネルを表し、例えば、下りリンクに用いられる周波数帯域に含まれる全てのチャネル、各端末装置３００がそれぞれ受信すべき帯域として基地局装置２００との間で決定された下りリンクの一部の周波数帯域に含まれる全てのチャネル、または各端末装置３００が割り当てを要求する全てのチャネルなどを表す。以降の実施形態においても同様である。グループ化方式１、２および通知要求情報の決定手順の詳細については後述する。
【００４９】
スケジューリング部２１４は、受信状態情報記憶部２１７に記憶された各端末装置３００から通知された受信状態情報を読み出し、各端末装置３００から通知された受信状態情報から各端末装置３００の各チャネルにおける受信状態情報を生成する。ここで、各端末装置３００から通知された受信状態情報から各端末装置３００の各チャネルにおける受信状態情報を生成する方法として、各端末装置３００の各チャネルにおける受信状態情報は、そのチャネルを含むグループにおける受信状態情報とする。なお、この生成方法は一例であり、各端末装置３００の各チャネルにおける受信状態情報を、該グループの受信状態情報と隣接するグループの受信状態情報とにより補間して算出するなど、そのチャネルを含むグループにおける受信状態情報に基づいて決定する他の生成方法を用いることも可能である。次に、スケジューリング部２１４は、この生成した受信状態情報に基づいて各チャネルの各リソースブロックに端末装置３００を割り当て（スケジューリングし）、それぞれのリソースブロックで使用する変調パラメータを選択し、該スケジューリング結果（スケジューリング情報）と該変調パラメータ選択結果（変調パラメータ情報）とを出力する。なおスケジューリングは、さらに送信バッファ部２０１からの送信データ量情報に基づいて行われても良い。なお、スケジューリング部２１４の動作の詳細については後述する。
【００５０】
下りリンク制御情報生成部（要求送信部）２１５は、通知要求決定部２１３からの通知要求情報およびスケジューリング部２１４からのスケジューリング情報と変調パラメータ情報とを含む下りリンク制御情報を生成し出力する。なお、通知要求情報が前回の通知要求情報と同じ端末装置３００に関しては該通知要求情報を下りリンク制御情報に含めない構成としても良い。また、例えば、グループ化１受信状態情報の通知要求情報とグループ化２受信状態情報の通知要求情報のうち一方については、該当する宛先の端末装置３００に関する要求通知情報に対しては下りリンク制御情報にビットを割り当てない構成としても良い。
【００５１】
符号化部２０２は、スケジューリング部２１４から通知される下りリンクへの各端末装置３００の割り当て情報（スケジューリング情報）に従って送信バッファ部２０１から各端末装置３００宛の必要量の送信データを読み出し、さらにスケジューリング部２１４から通知される変調パラメータ情報およびスケジューリング情報に従って各端末装置３００宛の送信データに対して誤り訂正符号化処理を行い、データ系列を生成し出力する。パイロット生成部２１６は、端末装置３００における受信状態測定のために送信信号へ挿入するパイロットシンボルの系列であるパロット系列を生成し出力する。
【００５２】
マッピング部２０３は、符号化部２０２が出力したデータ系列の各ビットをスケジューリング部２１４から通知される変調パラメータ情報およびスケジューリング情報に基づいたサブキャリア上の変調シンボルへマッピングし、下りリンク制御情報生成部２１５で生成された下りリンク制御情報およびパイロット生成部２１６で生成されたパイロット系列を所定のサブキャリア上の所定の変調シンボルへマッピングを行い、出力する。例えば、図１の例において、データ系列は図中のデータシンボルへスケジューリング情報に基づいてマッピングされ、パイロット系列は図中の所定のパイロットシンボルへ、下りリンク制御情報は図中の所定の下りリンク制御情報シンボルへ、それぞれマッピングされる。
【００５３】
ＩＦＦＴ部２０４は、マッピング部２０３から出力された変調シンボル系列を逆高速フーリエ変換ＩＦＦＴ処理して、時間軸のＯＦＤＭ信号に変換し、変換した信号をＧＩ挿入部２０５へ出力する。ＧＩ挿入部２０５は、ＩＦＦＴ部２０４で生成されたＯＦＤＭ信号にガード期間ＧＩを付加する。Ｄ／Ａ変換部２０６は、ガード期間ＧＩを付加された信号をアナログ信号に変換する。無線送信部２０７は、該アナログ信号を、アップコンバートして、下りリンク信号としてアンテナ部２０８より端末装置３００に無線にて送信する。
【００５４】
図３は、本実施形態における端末装置３００の構成を示す概略ブロック図である。
端末装置３００は、アンテナ部３０１、無線受信部３０２、Ａ／Ｄ変換部３０３、ＧＩ除去部３０４、ＦＦＴ（Fast Fourier Transformation：高速フーリエ変換）部３０５、デマッピング部３０６、復号化部３０７、受信状態測定部３０８、受信状態情報生成部３０９、符号化部３１０、マッピング部３１１、Ｄ／Ａ変換部３１２、無線送信部３１３、復調制御部３１４を具備する。
【００５５】
下りリンク信号を端末装置３００が受信する動作について図３を用いて説明する。無線受信部３０２は、基地局装置２００から送信された信号を、アンテナ部３０１を経て受信し、ダウンコンバートする。Ａ／Ｄ変換部３０３は、無線受信部３０２がダウンコンバートしたアナログ信号を、デジタル信号に変換する。ＧＩ除去部３０４は、このデジタル信号からガード期間ＧＩを除去し、ガード期間ＧＩを除去したＯＦＤＭ信号をＦＦＴ部３０５に出力する。ＦＦＴ部３０５は、ＧＩ除去部３０４から出力されたＯＦＤＭ信号を高速フーリエ変換ＦＦＴすることにより、変調シンボル系列に変換する。デマッピング部３０６は、ＦＦＴ部３０５から出力された変調シンボル系列から、まずパイロットシンボルを分離し受信状態測定部３０８に出力する。次に下りリンク制御情報をデマッピングし復調制御部３１４に出力する。さらに復調制御部３１４からのスケジューリング情報および変調パラメータ情報に従ってデータ系列をデマッピングし復号化部３０７に出力する。なお、パイロットシンボルに基づいて変調シンボル系列に対して伝搬路補償を行っても良い。
【００５６】
復号化部３０７は、復調制御部３１４から出力されたスケジューリング情報および変調パラメータ情報に従い、デマッピング部３０６から出力されたデータ系列に対して誤り訂正復号化処理を行い、受信データを出力する。復調制御部（要求取得部）３１４は、デマッピング部３０６から入力された下りリンク制御情報からスケジューリング情報（端末装置３００宛の送信データに割り当てられたチャネルに関する情報）、変調パラメータ情報（該割り当てられたチャネルの変調パラメータに関する情報）、および通知要求情報を抽出し、スケジューリング情報および変調パラメータ情報をデマッピング部３０６および復号化部３０７へ、通知要求情報を受信状態情報生成部３０９へそれぞれ出力する。
【００５７】
なお、下りリンク制御情報が基地局装置２００において予め誤り訂正符号化されている場合は、復調制御部３１４が誤り訂正復号化する。また、基地局装置２００が通知要求情報が前回と同じである端末装置３００に対して通知要求情報を通知しないようなシステムでは、下りリンク制御情報に自端末装置宛の通知要求情報が存在しない場合、復調制御部３１４は、前回基地局装置２００へ通知したものと同じ種類の受信状態情報を生成するように受信状態情報生成部３０９へ指示する。さらに、基地局装置２００が、グループ化１受信状態情報の通知要求情報とグループ化２受信状態情報の通知要求情報のうち一方については、下りリンク制御情報にビットを割り当てないようなシステムでは、下りリンク制御情報に自端末装置３００宛の通知要求情報が存在しない場合、復調制御部３１４は、該当する受信状態情報を生成するように受信状態情報生成部３０９へ指示する。
【００５８】
次に、端末装置３００が受信状態情報を基地局装置２００にフィードバックする手順を、図３を用いて説明する。受信状態測定部３０８は、デマッピング部３０６から出力されたパイロットシンボルから各チャネルにおける搬送波電力対雑音電力比ＣＮＲを算出することで、各チャネルにおける受信状態を測定し、この受信状態測定結果を受信状態情報生成部３０９に出力する。なお、本実施形態では、パイロットシンボルを用いて受信状態を測定する場合について説明するが、データシンボルを用いて受信状態を測定してもよいし、受信データの誤り訂正復号判定結果を用いて受信状態を測定してもよい。受信状態情報生成部３０９は、復調制御部３１４から出力された通知要求情報に基づき、該通知要求情報がグループ化１受信状態情報を要求する情報である場合は、受信状態測定部３０８から出力された各チャネルにおける受信状態測定結果から,グループ化方式１における各グループに含まれる全チャネルの受信状態測定結果の平均値を算出し、該算出結果を表す受信状態情報を生成し、通知要求情報がグループ化２受信状態情報を要求する情報である場合は、受信状態測定部３０８から出力された各チャネルにおける受信状態測定結果から,グループ化方式２における各グループに含まれる全チャネルの受信状態測定結果の平均値を算出し、該算出結果を表す受信状態情報を生成し出力する。
【００５９】
符号化部３１０は、基地局装置２００への送信データを誤り訂正符号化し、データ系列を出力する。マッピング部３１１は、受信状態情報生成部３０９が生成した受信状態情報と、符号化部３１０が出力したデータ系列とを変調シンボルにマッピングし出力する。なお受信状態情報は、基地局装置２００への送信データとは別に基地局装置２００へ通知しても良い。Ｄ／Ａ変換部３１２は、マッピング部３１１から出力された信号をアナログ信号に変換する。この変換されたアナログ信号を、無線送信部３１３は、アップコンバートし、アンテナ部３０１から基地局装置２００に無線にて送信する。
【００６０】
次に、基地局装置２００が、端末装置３００から送信された受信状態情報を受信する手順を、図２を用いて説明する。端末装置３００から送信された信号を、アンテナ部２０８を経て無線受信部２０９が受信して、ダウンコンバートする。このダウンコンバートしたアナログ信号を、Ａ／Ｄ変換部２１０は、デジタル信号に変換し、デマッピング部２１１へ出力する。デマッピング部２１１は、Ａ／Ｄ変換部２１０から送られたデジタル信号（変調シンボル）をデマッピングし、受信状態情報とデータ系列とを分離し、受信状態情報を受信状態情報記憶部２１７へ、データ系列を復号化部２１２へ、それぞれ出力する。復号化部２１２は、デマッピング部２１１で取り出されたデータ系列を誤り訂正復号化し、受信データを取り出す。受信状態情報記憶部２１７は、デマッピング部２１１が分離した各端末装置３００から通知された受信状態情報を端末装置３００毎に記憶し、スケジューリング部２１４からの要求に応じて出力する。
【００６１】
次に、チャネルのグループ化とグループ化方式の詳細について図４および図５を用いて説明する。図４は、グループ化方式１を用いたチャネルのグループ化の様子の一例を示している。また図５は、グループ化方式２を用いたチャネルのグループ化の様子の一例を示している。図４と図５に示す例では、グループ化方式１とグループ化方式２のいずれも、チャネルＣｈ１からチャネルＣｈ８までの８個のチャネルがいずれかのグループに含まれるように、かつ、隣接する複数のチャネルをグループ化する場合のグループ化方式である。グループ化方式１は隣接する２個のチャネルを１個のグループとし、グループ化方式２は隣接する４個のチャネルを１個のグループとする。これにより、グループ化方式１ではグループＧｒ１からグループＧｒ４までの４個のグループが存在し、グループ化方式２ではグループＧｒ１とグループＧｒ２の２個のグループが存在することになる。
【００６２】
この例では、通知要求情報がグループ化１受信状態情報を要求する情報である場合、端末装置３００内の受信状態情報生成部３０９は、チャネルＣｈ１とチャネルＣｈ２の受信状態測定結果の平均値を算出し、算出した結果をグループＧｒ１の平均受信状態測定結果とする。同様にして、チャネルＣｈ３とチャネルＣｈ４、チャネルＣｈ５とチャネルＣｈ６、チャネルＣｈ７とチャネルＣｈ８の受信状態測定結果の平均値を算出し、算出した結果のそれぞれをグループＧｒ２、グループＧｒ３、グループＧｒ４の平均受信状態測定結果とする。受信状態情報生成部３０９は、グループＧｒ１からグループＧｒ４までの４個のグループの平均受信状態測定結果を表す受信状態情報を出力する。
【００６３】
通知要求情報がグループ化２受信状態情報を要求する情報である場合、端末装置３００内の受信状態情報生成部３０９は、チャネルＣｈ１とチャネルＣｈ２とチャネルＣｈ３とチャネルＣｈ４の受信状態測定結果の平均値を算出し、算出した結果をグループＧｒ１の平均受信状態測定結果とする。同様にして、チャネルＣｈ５とチャネルＣｈ６とチャネルＣｈ７とチャネルＣｈ８の受信状態測定結果の平均値を算出し、算出した結果をグループＧｒ２の平均受信状態測定結果とする。受信状態情報生成部３０９は、グループＧｒ１とグループＧｒ２との２個のグループの平均受信状態測定結果を表す受信状態情報を出力する。
【００６４】
すなわち、受信状態情報生成部３０９から出力される受信状態情報の情報量は、通知要求情報がグループ化２受信状態情報を要求する情報である場合に比べて、通知要求情報がグループ化１受信状態情報を要求する情報である場合の方が大きくなる。逆に、平均受信状態測定結果を算出する際の１グループ内のチャネル数は、通知要求情報がグループ化２受信状態情報を要求する情報である場合に比べて、通知要求情報がグループ化１受信状態情報を要求する情報である場合の方が少なくなるため、通知要求情報がグループ化２受信状態情報を要求する情報である場合に比べて、通知要求情報がグループ化１受信状態情報を要求する情報である場合の方が、１個のグループ内の全チャネルの受信状態の分散が小さくなるため、各チャネルの詳細な受信状態情報を表すことができる。
【００６５】
なお、上記の説明において、全チャネル数を８個とし、グループ化方式１とグループ化方式２においてそれぞれ４個と２個のグループが存在する例を挙げたが、これらのパラメータは、この他の数であってもよい。例えば、全チャネル数が１００であってもよい。また、１個のグループに含まれるチャネル数は１個であってもよいし、すべてのチャネルを含む１個のグループのみが存在してもよい。要するに、グループ化方式１におけるグループ数が、グループ化方式２におけるグループ数よりも多く設定されていればよい。また、グループ化する際に、隣接するチャネルをまとめてグループ化する場合について説明したが、これに限るものではない。また、本実施形態において、グループ化方式として、グループ化方式１とグループ化方式２の２種類を用いるとして説明したが、２種類を超える種類を用いるようにしてもよい。
【００６６】
次に、通知要求決定部２１３における通知要求情報の決定動作の詳細について図６を用いて説明する。図６は、本実施形態における通知要求情報の決定の動作の一例を表すフローチャートである。まず通知要求決定部２１３は、送信バッファ部２０１から各端末装置３００宛の送信データ量の情報を取得し（Ｓ６０１）、それぞれの端末装置３００（１番目からＮ番目の端末装置３００）について以下のステップＳ６０３以降の処理を繰り返す（Ｓ６０２からＳ６０６のループ）。通知要求決定部２１３は、それぞれの端末装置３００について、ｎ番目の端末装置３００宛の送信データ量と所定の閾値を比較し（Ｓ６０３）、ｎ番目の端末装置３００の送信データ量が所定の閾値以上である場合は、当該端末装置３００に対してグループ化１受信状態情報を要求することを選択し（Ｓ６０４）、送信データ量が所定の閾値未満である場合は、当該端末装置３００に対してグループ化２受信状態情報を要求することを選択する（Ｓ６０５）。
【００６７】
なお、ステップＳ６０３で比較に用いる所定の閾値は、全端末装置３００宛の送信データ量の平均値、グループ化１受信状態情報を通知する端末装置数とグループ化２受信状態情報を通知する端末装置数が予め定めた割合となるように定めた値、通知時要求情報に応じて全端末装置３００から通知される受信状態情報の総情報量が予め定めた値以下となるような端末装置数の割合を実現する値などを用いることが好ましいが、これに限られるものではなく、０より大きく、送信バッファ部２０１に蓄積可能な各端末装置３００当たりの最大送信データ量以下の値であれば効果が得られる。
また、本実施形態では、グループ化１受信状態情報を要求するかグループ化２受信状態情報を要求するかを閾値と送信データ量を比較して決めるとして説明したが、送信データ量が多いものから１０台は、グループ化１受信状態情報とするなど、送信データ量が多い端末装置３００がグループ化１受信状態情報となるように決定すれば、閾値を用いずに決定してもよい。
【００６８】
次に、スケジューリング部２１４におけるスケジューリング動作と変調パラメータ選択動作の詳細について図７を用いて説明する。図７は、本実施形態におけるスケジューリング動作と変調パラメータ選択動作の一例を表すフローチャートである。スケジューリング部２１４は、受信状態情報記憶部２１７から各端末装置３００から通知された受信状態情報を読み込む（Ｓ７０１）。まず、スケジューリング部２１４は、読み込んだ受信状態情報から各端末装置３００について各チャネルにおける受信状態情報を生成する（Ｓ７０２）。次に、スケジューリング部２１４は、各端末装置３００へ送信する送信データを、各端末装置３００の各チャネルの生成された受信状態情報に基づいて、リソースブロックに割り当てる、すなわちスケジューリングを行なう（Ｓ７０３）。ステップＳ７０３で割り当てた各リソースブロックについて、スケジューリング部２１４は、それぞれのリソースブロックに割り当てられた端末装置３００の当該チャネルにおける生成された受信状態情報に基づいて、変調パラメータを選択し（Ｓ７０４）、リソースブロックへの割り当て結果であるスケジューリング結果（スケジューリング情報）と変調パラメータ選択結果（変調パラメータ情報）を出力する（Ｓ７０５）。
【００６９】
図８は、本実施形態におけるスケジューリング動作と変調パラメータ選択動作の図７とは異なる一例を表すフローチャートである。スケジューリング部２１４は、各端末装置３００から通知された受信状態情報を、受信状態情報記憶部２１７から読み込む（Ｓ８０１）。スケジューリング部２１４は、読み込んだ受信状態情報から各端末装置３００の各チャネルにおける受信状態情報を生成する（Ｓ８０２）。スケジューリング部２１４は、まずグループ化１受信状態情報を通知してきた各端末装置３００へ送信する送信データを、各端末装置３００の各チャネルにおける生成された受信状態情報に基づいて、リソースブロックに割り当て（Ｓ８０３）、ステップＳ８０３で割り当てた各リソースブロックについて、それぞれのリソースブロックに割り当てられた端末装置の当該チャネルにおける生成された受信状態情報に基づいて、変調パラメータを選択する（Ｓ８０４）。スケジューリング部２１４は、次にグループ化２受信状態情報を通知してきた各端末装置３００へ送信する送信データを、各端末装置３００の各チャネルにおける生成された受信状態情報に基づいて、ステップＳ８０３で割り当てた残りのリソースブロックに割り当て（Ｓ８０５）、ステップＳ８０５で割り当てた各リソースブロックについて、それぞれのリソースブロックに割り当てられた各端末装置３００の生成された受信状態情報に基づいて、変調パラメータを選択する（Ｓ８０６）。最後に、スケジューリング部２１４は、リソースブロックへの割り当て結果であるスケジューリング結果（スケジューリング情報）と変調パラメータ選択結果（変調パラメータ情報）を出力する（Ｓ８０７）。
【００７０】
この図８のように、グループ化１受信状態情報、グループ化２受信状態情報という順に、グループ数の多いグループ化方式の受信状態情報を通知してきた端末装置３００から優先してスケジューリングすることで、優れた伝送効率が得られる該端末装置３００宛の下りリンク送信データ量の多い端末装置３００を優先してスケジューリングし、システム全体として優れた伝送効率を得ることができる。
【００７１】
このように、本実施形態によれば、複数の端末装置３００から基地局装置２００へ受信状態情報を通知する際に、各端末装置３００宛の下りリンク送信データ量に応じて、グループ数の多いグループ化方式１における各グループに含まれる全チャネルの受信状態の平均値を表すグループ化１受信状態情報を通知するか、グループ数の少ないグループ化方式２における各グループに含まれる全チャネルの受信状態の平均値を表すグループ２受信状態情報を通知するかを選択する。そのため、下りリンクで多くのリソースブロックを割り当て、多くの送信データを送信する必要のある端末装置３００については、グループ内のチャネル数が少ないため各チャネルの詳細な受信状態情報を得ることができ、各チャネルの詳細な受信状態情報に基づく効率的なスケジューリングおよび適応変調を優先的に行うことが可能となり、効率的な伝送が実現できる。
【００７２】
一方、下りリンクで送信すべきデータが比較的少ない端末装置３００については、グループ数が少ないため、それらの端末装置３００から上りリンクを用いて通知すべき受信状態情報の情報量を削減することができる。
以上から、システム全体において、各端末装置３００からの上りリンクでの受信状態情報の総通知量を抑えて効率の良い受信状態情報の通知を実現し、かつ、高速・大容量の通信を必要とする端末装置３００に対して効率的なスケジューリングと適応変調を適用し、システム全体の伝送効率を上げる効率的なスケジューリングと適応変調とを実現することが可能となる。
【００７３】
［第２の実施形態］
以下、図面を参照して、本発明の第２の実施形態について説明する。本実施形態では、各端末装置宛の下りリンク送信データ量と各端末装置における伝搬路の遅延分散とに基づいて、各端末が受信状態を報告する際のグループ化方式を決定する。
図９は、本実施形態における基地局装置９００の構成を示す概略ブロック図である。なお、本実施形態における端末装置３００は第１の実施形態における端末装置３００の構成と同様の構成である。
【００７４】
第１の実施形態では、基地局装置２００からそれぞれの端末装置３００へ通知要求する受信状態情報を決定する際、送信バッファ部２０１内の送信データ量を参照する場合について説明した。本実施形態における基地局装置９００は、基地局装置９００からそれぞれの端末装置３００へ通知要求する受信状態情報を決定する際、送信バッファ部２０１内の送信データ量および遅延分散測定部９１８が測定する基地局装置９００と各端末装置３００との間の伝搬路の遅延分散を参照する。本実施形態では、各端末装置３００からの上りリンク信号にパイロット信号を含め、これを用いて基地局装置９００において各端末装置３００についての遅延分散を測定する。このため、基地局装置９００は、遅延分散測定部９１８を具備することと、基地局装置９００の機能ブロックのうち、基地局装置２００のデマッピング部２１１に相当するデマッピング部９１１と、基地局装置２００の通知要求決定部２１３に相当する通知要求決定部９１３とが、第１の実施形態とは異なる。基地局装置９００および端末装置３００のその他の構成は第１の実施形態（図２、図３）と同様であり、その説明は省略する。
【００７５】
図９の基地局装置９００において、デマッピング部９１１は、Ａ／Ｄ変換部２１０から送られたデジタル信号をデマッピングして、受信状態情報とデータ系列とパイロット系列とを分離する。デマッピング部９１１は、分離した受信状態情報を受信状態情報記憶部２１７へ、データ系列を復号化部２１２へ、パイロット系列を遅延分散測定部９１８へ、それぞれ出力する。遅延分散測定部９１８は、各端末装置３００について、デマッピング部９１１が分離したパイロット系列から遅延分散を測定し、測定結果を通知要求決定部９１３へ出力する。なお、遅延分散は以下の（１）式にて算出される値である。
【００７６】
【数１】
2008271200.tif 000003
【００７７】
通知要求決定部９１３は、端末装置３００の受信状態の周波数変動の指標である遅延分散測定部９１８において測定された遅延分散測定結果と端末装置３００各々に送信するデータ量の指標である送信バッファ部２０１からの各端末装置３００宛の送信データ量情報とに基づいて、各端末装置３００に対して、グループ化方式１における各グループに含まれる全チャネルの受信状態の平均値を表す受信状態情報（グループ化１受信状態情報）と、グループ化方式２における各グループに含まれる全チャネルの受信状態の平均値を表す受信状態情報（グループ化２受信状態情報）とのどちらを通知要求するかを決定し、該決定結果を通知要求情報として下りリンク制御情報生成部２１５へ出力する。なお、本実施形態では、グループ化方式１とグループ化方式２は、第１の実施形態と同様のグループ化方式を用いる。通知要求情報の決定手順の詳細については後述する。
なお、本実施形態では、遅延分散測定部９１８を基地局装置９００が具備しているとして説明するが、端末３００が遅延分散測定部９１８を具備しており、下りリンクのパイロット信号を用いて遅延分散を測定し、遅延分散測定結果を端末装置３００が基地局装置９００に報告するようにしてもよい。
【００７８】
次に、通知要求決定部９１３における通知要求情報の決定動作の詳細について図１０を用いて説明する。図１０は、本実施形態における通知要求情報の決定の動作の一例を表すフローチャートである。まず通知要求決定部９１３は、送信バッファ部２０１から各端末装置３００宛の送信データ量を取得し（Ｓ１００１）、次に遅延分散測定部９１８から基地局装置９００と各端末装置３００との間の伝搬路の遅延分散測定結果を取得する（Ｓ１００２）。通知要求決定部９１３は、それぞれの端末装置３００（１番目からＮ番目の端末装置３００）について以下の処理を繰り返す（Ｓ１００３からＳ１００８のループ）。通知要求決定部９１３は、それぞれの端末装置３００について、当該端末装置３００宛の送信データ量と所定の第１閾値を比較し（Ｓ１００４）、送信データ量が所定の第１閾値以上である場合は、さらに当該端末装置に対する遅延分散測定結果と所定の第２閾値を比較し（Ｓ１００５）、遅延分散測定結果が所定の第２閾値以上である場合は、当該端末装置３００に対してグループ化１受信状態情報を要求することを選択する（Ｓ１００６）。通知要求決定部９１３は、ステップＳ１００４の比較で送信データ量が所定の第１閾値未満である場合、あるいはステップＳ１００５の比較で遅延分散測定結果が所定の第２閾値未満であるは、当該端末装置３００に対してグループ化２受信状態情報を要求することを選択する（Ｓ１００７）。
【００７９】
なお、所定の第１閾値は、第１の実施形態における所定の閾値と同様であり、全端末装置３００宛の送信データ量の平均値、グループ化１受信状態情報を通知する端末装置数とグループ化２受信状態情報を通知する端末装置数が予め定めた割合となるように定めた値、通知時要求情報に応じて全端末装置から通知される受信状態情報の総情報量が予め定めた値以下となるような端末装置数の割合を実現する値、などを用いることが好ましいが、これに限られるものではなく、０より大きく、送信バッファ部２０１に蓄積可能な各端末装置３００当たりの最大送信データ量以下の値であれば効果が得られる。
また、所定の第２閾値は、グループ化方式２によりグループ化する際、グループ内のすべてのチャネルを含む帯域幅が、遅延分散の逆数に定数を乗算することにより得られるコヒーレント帯域幅と一致するように定めた値を用いることが好ましいが、これに限られるものではなく、グループ化方式２によりグループ化する際に、各チャネルの受信状態測定結果のグループ内での分散が、グループ化方式１によりグループ化する際の各チャネルの受信状態測定結果のグループ内での分散と、ほぼ同様の値となるような遅延分散の値であれば効果が得られる。
【００８０】
なお、上記の説明では、１個のグループ内の各チャネルの受信状態測定結果の分散を示す指標として、基地局装置と端末装置との間の伝搬路の遅延分散を用いる場合について説明したが、これに限るものではない。例えば、基地局装置９００と端末装置３００との間の伝搬路のコヒーレント帯域幅、グループ内の各チャネルの受信状態測定結果の中で最も良好な受信状態測定結果と最も劣悪な受信状態測定結果との差、グループ内の各チャネルの受信状態測定結果の分散を実際に算出した値など、グループ内の各チャネルの受信状態測定結果の分散に関連する他の指標を用いても良いことは勿論である。
【００８１】
このように、本実施形態によれば、複数の端末装置３００から基地局装置９００へ受信状態情報を通知する際に、各端末装置３００宛の下りリンク送信データ量と各端末装置３００と基地局装置９００との間の伝搬路の遅延分散とに応じて、グループ数の多いグループ化方式１における各グループに含まれる全チャネルの受信状態の平均値を表すグループ化１受信状態情報を通知するか、グループ数の少ないグループ化方式２における各グループに含まれる全チャネルの受信状態の平均値を表すグループ２受信状態情報を通知するかを選択する。そのため、下りリンクで多くのリソースブロックを割り当て、多くの送信データを送信する必要のある端末装置３００については、グループ内のチャネル数が少ないため各チャネルの詳細な受信状態情報を得ることができ、各チャネルの詳細な受信状態情報に基づく効率的なスケジューリングおよび適応変調を優先的に行うことが可能となり、より高速な伝送が実現できる。さらに、多くの送信データを送信する必要のあっても、少ないグループ数で詳細な受信状態情報を得ることができる端末装置３００については、グループ数を少なくするため、それらの端末装置３００から上りリンクを用いて通知すべき受信状態情報の情報量を削減することができる。
【００８２】
一方、下りリンクで送信すべきデータが比較的少ない端末装置３００については、グループ数が少ないため、それらの端末装置３００から上りリンクを用いて通知すべき受信状態情報の情報量を削減することができる。
以上から、システム全体において、各端末装置３００からの上りリンクでの受信状態情報の総通知量を抑えて効率の良い受信状態情報の通知を実現し、かつ、高速・大容量の通信を必要とする端末装置３００に対して効率的なスケジューリングと適応変調を適用し、システム全体の伝送効率を上げる効率的なスケジューリングと適応変調とを実現することが可能となる。
【００８３】
［第３の実施形態］
以下、図面を参照して、本発明の第３の実施形態について説明する。本実施形態では、各端末装置宛の下りリンク送信データ量と各端末装置における最大ドップラー周波数ｆｄに基づいて、各端末が受信状態を報告する際のグループ化方式を決定する。
図１１は、本実施形態における基地局装置１１００の構成を示す概略ブロック図である。なお、本実施形態における端末装置３００は第１の実施形態における端末装置３００の構成と同様の構成である。
【００８４】
第１の実施形態では、基地局装置２００からそれぞれの端末装置３００へ通知要求する受信状態情報を決定する際、送信バッファ部２０１内の送信データ量を参照する場合について説明した。本実施形態における基地局装置１１００は、基地局装置１１００からそれぞれの端末装置３００へ通知要求する受信状態情報を決定する際、送信バッファ部２０１内の送信データ量およびｆｄ測定部１１１９が測定した各端末装置３００に関するドップラー周波数ｆｄを参照する。本実施形態では、各端末装置３００からの上りリンク信号にパイロット信号を含め、これを用いて基地局装置１１００において各端末装置３００についての最大ドップラー周波数ｆｄを測定する。このため、基地局装置１１００は、ｆｄ測定部１１１９を具備することと、基地局装置１１００の機能ブロックのうち、基地局装置２００のデマッピング部２１１に相当するデマッピング部１１１１と、基地局装置２００の通知要求決定部２１３に相当する通知要求決定部１１１３とが、第１の実施形態とは異なる。基地局装置１１００および端末装置３００のその他の構成は第１の実施形態（図２、図３）と同様であり、その説明は省略する。
【００８５】
図１１の基地局装置１１００において、デマッピング部１１１１は、Ａ／Ｄ変換部２１０から送られたデジタル信号（変調シンボル）をデマッピングし、受信状態情報とデータ系列とパイロット系列とを分離する。デマッピング１１１１は、分離した受信状態情報を受信状態情報記憶部２１７へ、データ系列を復号化部２１２へ、パイロット系列をｆｄ測定部１１１９へ、それぞれ出力する。ｆｄ測定部１１１９は、デマッピング部１１１１で取り出されたパイロット系列の時間方向の変動の大きさから最大ドップラー周波数ｆｄを測定し、最大ドップラー周波数ｆｄの測定結果を出力する。通知要求決定部１１１３は、端末装置３００の受信状態の時間変動の指標であるｆｄ測定部１１１９が測定したドップラー周波数ｆｄの測定結果と端末装置３００各々に送信するデータ量の指標である送信バッファ部２０１からの各端末装置３００宛の送信データ量情報とに基づいて、各端末装置３００に対して、グループ化方式１における各グループに含まれる全チャネルの受信状態の平均値を表す受信状態情報（グループ化１受信状態情報）と、グループ化方式２における各グループに含まれる全チャネルの受信状態の平均値を表す受信状態情報（グループ化２受信状態情報）とのどちらを通知要求するかを決定し、該決定結果を通知要求情報として下りリンク制御情報生成部２１５へ出力する。なお、グループ化方式１とグループ化方式２は、第１の実施形態と同様のグループ化方式を用いる。通知要求情報の決定手順の詳細については後述する。
なお、本実施形態では、ｆｄ測定部１１１９を基地局装置１１００が具備しているとして説明するが、端末装置３００がｆｄ測定部１１１９を具備しており、最大ドップラー周波数ｆｄの測定結果を、端末装置３００が基地局装置１１００に報告するようにしてもよい。
【００８６】
次に、通知要求決定部１１１３における通知要求情報の決定動作の詳細について図１２を用いて説明する。図１２は、本実施形態における通知要求情報の決定の動作の一例を表すフローチャートである。まず通知要求決定部１１１３は、送信バッファ部２０１から各端末装置３００宛の送信データ量を取得し（Ｓ１２０１）、ｆｄ測定部１１１９から各端末装置３００について最大ドップラー周波数ｆｄの測定結果を取得し（Ｓ１２０２）、それぞれの端末装置３００（１番目からＮ番目の端末装置３００）について以下の処理を繰り返す（Ｓ１２０３からＳ１２０８のループ）。
【００８７】
通知要求決定部１１１３は、それぞれの端末装置３００について、当該端末装置３００宛の送信データ量と所定の第１閾値を比較し（Ｓ１２０４）、送信データ量が所定の第１閾値以上である場合は、さらに当該端末装置３００における最大ドップラー周波数ｆｄの測定結果と所定の第３閾値を比較し（Ｓ１２０５）、最大ドップラー周波数ｆｄの測定結果が所定の第３閾値未満である場合は、当該端末装置３００に対してグループ化１受信状態情報を要求することを選択する（Ｓ１２０６）。また、通知要求決定部１１１３は、ステップＳ１２０４の比較で送信データ量が所定の第１閾値未満である場合、あるいはステップＳ１２０５の比較で最大ドップラー周波数ｆｄの測定結果が所定の第３閾値以上である場合は、当該端末装置３００に対してグループ化２受信状態情報を要求することを選択する（Ｓ１２０７）。
【００８８】
なお、所定の第１閾値は、第１の実施形態における所定の閾値および第２の実施形態における所定の第１閾値と同様に、全端末装置３００宛の送信データ量の平均値、グループ化１受信状態情報を通知する端末装置数とグループ化２受信状態情報を通知する端末装置数が予め定めた割合となるように定めた値、通知時要求情報に応じて全端末装置３００から通知される受信状態情報の総情報量が予め定めた値以下となるような端末装置数の割合を実現する値、などを用いることが好ましいが、これに限られるものではなく、０より大きく、送信バッファ部２０１に蓄積可能な各端末装置３００当たりの最大送信データ量以下の値であれば効果が得られる。
【００８９】
また、所定の第３閾値は、端末装置３００が受信状態を測定する時刻と、基地局装置１１００がその受信状態測定結果に基づいてスケジューリング／適応変調した送信データを端末装置３００が受信する時刻との間の時間、いわゆる処理遅延が、最大ドップラー周波数ｆｄの逆数に定数を乗算することにより得られるコヒーレント時間と一致するように定めた値を用いることが好ましいが、これに限られるものではなく、端末装置３００が受信状態を測定する時刻における受信状態と、基地局装置１１００がその受信状態測定結果に基づいてスケジューリング／適応変調した送信データを端末装置３００が受信する時刻における受信状態との間の変動が許容範囲内となり、これら２つの受信状態がほぼ同様の値となるような最大ドップラー周波数ｆｄの値であれば効果が得られる。
【００９０】
なお、上記の説明では，各端末装置３００のチャネルの受信状態測定結果の変動の速さを示す指標として、端末装置３００における最大ドップラー周波数ｆｄを用いる場合について説明したが、これに限るものではない。例えば、端末装置３００におけるコヒーレント時間、端末装置３００が受信状態を測定する時刻における受信状態と、基地局装置１１００がその受信状態測定結果に基づいてスケジューリング／適応変調した送信データを端末装置３００が受信する時刻における受信状態との差、端末装置３００の移動速度を測定した値など、各端末装置３００のチャネルの受信状態測定結果の変動の速さに関連する他の指標を用いても良い。
【００９１】
このように、本実施形態によれば、複数の端末装置３００から基地局装置１１００へ受信状態情報を通知する際に、各端末装置３００宛の下りリンク送信データ量と各端末装置３００についての最大ドップラー周波数ｆｄとに応じて、グループ数の多いグループ化方式１における各グループに含まれる全チャネルの受信状態の平均値を表すグループ化１受信状態情報を通知するか、グループ数の少ないグループ化方式２における各グループに含まれる全チャネルの受信状態の平均値を表すグループ２受信状態情報を通知するかを選択する。そのため、下りリンクで多くのリソースブロックを割り当て、多くの送信データを送信する必要のある端末装置３００については、グループ化１受信状態情報を通知するのでグループ内のチャネル数が少ないため各チャネルの詳細な受信状態情報を得ることができ、各チャネルの詳細な受信状態情報に基づく効率的なスケジューリングおよび適応変調を優先的に行うことが可能となり、より高速な伝送が実現できる。さらに、多くの送信データを送信する必要があっても、チャネルの受信状態の変動が速く、処理遅延の前後で受信状態が変化するためスケジューリング／適応変調の効果が小さい端末装置３００については、通知する受信状態情報をグループ２受信状態情報としてグループ数を少なくするため、それらの端末装置３００から上りリンクを用いて通知すべき受信状態情報の情報量を削減することができる。
【００９２】
一方、下りリンクで送信すべきデータが比較的少ない端末装置３００については、グループ２受信状態情報の通知を要求するのでグループ数が少ないため、それらの端末装置３００から上りリンクを用いて通知すべき受信状態情報の情報量を削減することができる。
以上から、システム全体において、各端末装置３００からの上りリンクでの受信状態情報の総通知量を抑えて効率の良い受信状態情報の通知を実現し、かつ、高速・大容量の通信を必要とする端末装置３００に対して効率的なスケジューリングと適応変調を適用し、システム全体の伝送効率を上げる効率的なスケジューリングと適応変調とを実現することが可能となる。
【００９３】
［第４の実施形態］
上記の各実施形態では、少なくとも送信データ量に基づいて、２種類のグループ化方式の中から一方のグループ化方式を選択する場合について説明したが、必ずしも２種類でなく、２種類を超える数のグループ化方式の中から１つのグループ化方式を選択するようにしてもよい。
本実施形態では、各端末装置宛の下りリンク送信データ量に基づいて、各端末装置が受信状態を報告する際のグループ化方式を３つのグループ化方式の中から決定する。
【００９４】
図１３は、本実施形態における基地局装置１３００の構成を示す概略ブロック図である。なお、本実施形態における端末装置は第１の実施形態における端末装置３００の構成と同様の構成で実現することができる。第１の実施形態では、基地局装置２００からそれぞれの端末装置３００へ通知要求する際、各端末装置３００に対して、グループ化方式１における各グループに含まれる全チャネルの受信状態の平均値を表すグループ化１受信状態情報と、グループ化方式２における各グループに含まれる全チャネルの受信状態の平均値を表すグループ化２受信状態情報とのどちらかを選択する場合について説明した。
本実施形態では、基地局装置１３００からそれぞれの端末装置３００へ通知要求する際、各端末装置３００に対して、グループ化１受信状態情報と、グループ化２受信状態情報とに加えて、グループ化方式３における各グループに含まれる全チャネルの受信状態の平均値を表す受信状態情報（グループ化方式３におけるグループ個数分の情報；グループ化３受信状態情報）の３種類の受信状態情報の中からいずれかの種類を選択する。
【００９５】
本実施形態における基地局装置１３００の機能ブロックのうち、基地局装置２００の通知要求決定部２１３に相当する通知要求決定部１３１３、およびスケジューリング部２１４に相当するスケジューリング部１３１４が、第１の実施形態とは異なる。基地局装置１３００および端末装置３００のその他の構成は第１の実施形態（図２、図３）と同様であり、その説明は省略する。
基地局装置１３００内の通知要求決定部１３１３における通知要求情報の決定動作の詳細について図１４を用いて説明する。図１４は、本実施形態における通知要求情報の決定の動作の一例を表すフローチャートである。まず通知要求決定部１３１３は、送信バッファ部２０１から各端末装置３００宛の送信データ量を取得し（Ｓ１４０１）、それぞれの端末装置３００（１番目からＮ番目の端末装置３００）について以下の処理を繰り返す（Ｓ１４０２からＳ１４０８のループ）。
【００９６】
通知要求決定部１３１３は、それぞれの端末装置３００について、当該端末装置３００宛の送信データ量と所定の閾値ａを比較し（Ｓ１４０３）、送信データ量が所定の閾値ａ以上である場合は、さらに当該端末装置３００宛の送信データ量と所定の閾値ｂを比較し（Ｓ１４０４）、送信データ量が所定の閾値ｂ以上である場合は、当該端末装置に対してグループ化１受信状態情報を要求することを選択する（Ｓ１４０５）。また、通知要求決定部１３１３は、ステップＳ１４０３の比較で送信データ量が所定の閾値ａ以上であり、かつステップＳ１４０４の比較で送信データ量が所定の閾値ｂ未満である場合は、当該端末装置３００に対してグループ化２受信状態情報を要求することを選択する（Ｓ１４０６）。また、通知要求決定部１３１３は、ステップＳ１４０３の比較で送信データ量が所定の閾値ａ未満である場合は、当該端末装置３００に対してグループ化３受信状態情報を要求することを選択する（Ｓ１４０７）。
【００９７】
なお、所定の閾値ａおよび閾値ｂは、グループ化１受信状態情報を通知する端末装置数とグループ化２受信状態情報を通知する端末装置数とグループ化３受信状態情報を通知する端末装置数が予め定めた割合となるように定めた値、通知時要求情報に応じて全端末装置３００から通知される受信状態情報の総情報量が予め定めた値以下となるような端末装置数の割合を実現する値、などを用いることが好ましいが、これに限られるものではなく、０より大きく、送信バッファ部に蓄積可能な各端末装置当たりの最大送信データ量以下の値で、かつ閾値ａより閾値ｂが大きい値であれば効果が得られる。
【００９８】
次に、スケジューリング部１３１４におけるスケジューリング動作と変調パラメータ選択動作の詳細について図１５を用いて説明する。図１５は、本実施形態におけるスケジューリング動作と変調パラメータ選択動作の一例を表すフローチャートである。スケジューリング部１３１４は、各端末装置３００から通知された受信状態情報を受信状態情報記憶部２１７から読み込み（Ｓ１５０１）、読み込んだ受信状態情報から各端末装置３００の各チャネルにおける受信状態情報を生成する（Ｓ１５０２）。次に、スケジューリング部１３１４は、まずグループ化１受信状態情報を通知してきた各端末装置３００へ送信する送信データを、各端末装置３００の各チャネルにおける生成された受信状態情報に基づいて、リソースブロックに割り当て（Ｓ１５０３）、ステップＳ１５０３で割り当てた各リソースブロックについて、それぞれのリソースブロックに割り当てられた端末装置３００の当該チャネルにおける生成された受信状態情報に基づいて、変調パラメータを選択する（Ｓ１５０４）。
【００９９】
スケジューリング部１３１４は、次にグループ化２受信状態情報を通知してきた各端末装置３００へ送信する送信データを、各端末装置３００の各チャネルにおける生成された受信状態情報に基づいて、ステップＳ１５０３で割り当てた残りのリソースブロックに割り当て（Ｓ１５０５）、ステップＳ１５０５で割り当てた各リソースブロックについて、それぞれのリソースブロックに割り当てられた各端末装置３００の生成された受信状態情報に基づいて、変調パラメータを選択する（Ｓ１５０６）。スケジューリング部１３１４は、次にグループ化３受信状態情報を通知してきた各端末装置３００へ送信する送信データを、各端末装置３００の各チャネルにおける生成された受信状態情報に基づいて、ステップＳ１５０６で割り当てた残りのリソースブロックに割り当て（Ｓ１５０７）、ステップＳ１５０７で割り当てた各リソースブロックについて、それぞれのリソースブロックに割り当てられた各端末装置３００の生成された受信状態情報に基づいて、変調パラメータを選択する（Ｓ１５０８）。スケジューリング部１３１４は、リソースブロックへの割り当て結果であるスケジューリング結果（スケジューリング情報）と変調パラメータ選択結果（変調パラメータ情報）を出力する（Ｓ１５０９）。
なお、このスケジューリング動作と変調パラメータ選択動作に、例えば図７に示すように処理する端末装置３００の順序が受信状態情報の種類に依存しないスケジューリング動作と変調パラメータ選択動作を適用してもよい。
【０１００】
次に、チャネルのグループ化とグループ化方式の詳細について説明する。グループ化方式１とグループ化方式２は，第１の実施形態で説明した図４および図５にそれぞれ示すグループ化方式と同じグループ化方式であり、本実施形態では、さらにグループ化方式３をとして図１６に示すチャネルのグループ化方式を用いる。
図４、図５および図１６に示す例では、グループ化方式１とグループ化方式２とグループ化方式３のいずれも、チャネルＣｈ１からチャネルＣｈ８までの８個のチャネルをグループ化する場合のグループ化方式である。グループ化方式１は隣接する２個のチャネルを１個のグループとし、グループ化方式２は隣接する４個のチャネルを１個のグループとし、グループ化方式３は図１６に示すように隣接する８個のチャネル（チャネルＣｈ１からチャネルＣｈ８）を１個のグループとする。これにより、グループ化方式１ではグループＧｒ１からグループＧｒ４までの４個のグループが存在し、グループ化方式２ではグループＧｒ１とグループＧｒ２の２個のグループが存在し、グループ化方式３ではグループＧｒ１の１個のグループが存在する。
【０１０１】
この例では、通知要求情報がグループ化１受信状態情報を要求する情報である場合、端末装置３００内の受信状態情報生成部３０９は、チャネルＣｈ１とチャネルＣｈ２の受信状態測定結果の平均値を算出し、算出した結果をグループＧｒ１の平均受信状態測定結果とする。同様にして、受信状態情報生成部３０９は、チャネルＣｈ３とチャネルＣｈ４、チャネルＣｈ５とチャネルＣｈ６、チャネルＣｈ７とチャネルＣｈ８の受信状態測定結果の平均値を算出し、算出した結果のそれぞれをグループＧｒ２、グループＧｒ３、グループＧｒ４の平均受信状態測定結果とする。受信状態情報生成部３０９は、グループＧｒ１からグループＧｒ４までの４個のグループの平均受信状態測定結果を表す受信状態情報を出力する。
【０１０２】
通知要求情報がグループ化２受信状態情報を要求する場合、端末装置３００内の受信状態情報生成部３０９は、チャネルＣｈ１とチャネルＣｈ２とチャネルＣｈ３とチャネルＣｈ４との受信状態測定結果の平均値を算出し、算出した結果をグループＧｒ１の平均受信状態測定結果とする。受信状態情報生成部３０９は、同様にして、チャネルＣｈ５とチャネルＣｈ６とチャネルＣｈ７とチャネルＣｈ８の受信状態測定結果の平均値を算出し、算出した結果をグループＧｒ２の平均受信状態測定結果とする。受信状態情報生成部３０９は、グループＧｒ１とグループＧｒ２との２個のグループの平均受信状態測定結果を表す受信状態情報を出力する。通知要求情報がグループ化３受信状態情報を要求する情報である場合、端末装置３００内の受信状態情報生成部３０９は、チャネルＣｈ１からチャネルＣｈ８の受信状態測定結果の平均値を算出し、算出した結果をグループＧｒ１の平均受信状態測定結果とする。受信状態情報生成部３０９は、グループＧｒ１の１個のグループの平均受信状態測定結果を表す受信状態情報を出力する。
【０１０３】
すなわち、受信状態情報生成部３０９から出力される受信状態情報の情報量は、通知要求情報がグループ化３受信状態情報を要求する情報である場合が最も小さくなり、通知要求情報がグループ化１受信状態情報を要求する情報である場合が最も大きくなる。逆に、平均受信状態測定結果を算出する際の１グループ内のチャネル数は、通知要求情報がグループ化３受信状態情報を要求する情報である場合が最も多く、通知要求情報がグループ化１受信状態情報を要求する情報である場合が最も少なくなるため、通知要求情報がグループ化３受信状態情報を要求する情報である場合より通知要求情報がグループ化２受信状態情報を要求する情報である場合の方が、また、通知要求情報がグループ化２受信状態情報を要求する情報である場合より通知要求情報がグループ化１受信状態情報を要求する情報である場合の方が、１個のグループ内の全チャネルの受信状態の分散が小さくなるため、各チャネルのより詳細な受信状態情報を表すことができる。
【０１０４】
なお、上記の説明において、全チャネル数を８個とし、グループ化方式１とグループ化方式２とグループ化方式３とにおいてそれぞれ４個と２個と１個のグループが存在する例を挙げたが、グループの数やグループ内のチャネル数など、これらのパラメータはこの他の数であってもよい。例えば、全チャネル数が１００であってもよい。また、１個のグループに含まれるチャネル数は１個であってもよいし、グループ化方式３のように、すべてのチャネルを含む１個のグループのみが存在してもよい。グループ化方式１におけるグループ数が、グループ化方式２におけるグループ数よりも多く、グループ化方式２におけるグループ数が、グループ化方式３におけるグループ数よりも多く設定されていればよい。また、グループ化する際に、隣接するチャネルをまとめてグループ化する場合について説明したが、これに限るものではない。さらに、以上の説明では３種類のグループ化方式の中から１つのグループ化方式を選択する場合について説明したが、３種類を超える数のグループ化方式の中から１つのグループ化方式を選択するようにしてもよい。
【０１０５】
このように、本実施形態によれば、複数の端末装置３００から基地局装置１３００へ受信状態情報を通知する際に、各端末装置３００宛の下りリンク送信データ量に応じて、グループ数の多いグループ化方式１における各グループに含まれる全チャネルの受信状態の平均値を表すグループ化１受信状態情報を通知するか、グループ化方式１よりもグループ数の少ないグループ化方式２における各グループに含まれる全チャネルの受信状態の平均値を表すグループ２受信状態情報を通知するか、グループ化方式２よりもさらにグループ数の少ないグループ化方式３における各グループに含まれる全チャネルの受信状態の平均値を表すグループ３受信状態情報を通知するかを選択する。そのため、下りリンクで多くのリソースブロックを割り当て、多くの送信データを送信する必要のある端末装置については、グループ内のチャネル数が少ないため各チャネルの詳細な受信状態情報を得ることができ、各チャネルの詳細な受信状態情報に基づく効率的なスケジューリングおよび適応変調を優先的に行うことが可能となり、より高速な伝送が実現できる。
【０１０６】
一方、下りリンクで送信すべきデータが比較的少ない端末装置３００については、最もグループ数が少ないグループ３受信状態情報の通知を選択するため、それらの端末装置３００から上りリンクを用いて通知すべき受信状態情報の情報量を削減することができる。
以上から、システム全体において、各端末装置３００からの上りリンクでの受信状態情報の総通知量を抑えて効率の良い受信状態情報の通知を実現し、かつ、高速・大容量の通信を必要とする端末装置３００に対して効率的なスケジューリングと適応変調を適用し、システム全体の伝送効率を上げる効率的なスケジューリングと適応変調とを実現することが可能となる。
【０１０７】
［第５の実施形態］
第２の実施形態では、各端末装置宛の下りリンク送信データ量と各端末装置における伝搬路の遅延分散とに基づいて、２種類のグループ化方式の中から一方のグループ化方式を選択する場合について説明したが、必ずしも２種類でなくてもよい。２種類以上のグループ化方式の中から１つのグループ化方式を選択すればよい。本実施形態では、各端末装置宛の下りリンク送信データ量と各端末装置における伝搬路の遅延分散とに基づいて、各端末が受信状態を報告する際のグループ化方式を３つのグループ化方式の中から決定する。
【０１０８】
図１７は、本実施形態における基地局装置１７００の構成を示す概略ブロック図である。なお、本実施形態における端末装置は第１の実施形態における端末装置３００の構成と同様の構成で実現することができる。第２の実施形態では、基地局装置９００からそれぞれの端末装置３００へ通知要求する際、各端末装置３００に対して、グループ化方式１における各グループに含まれる全チャネルの受信状態の平均値を表す受信状態情報（グループ化方式１におけるグループ個数分の情報；グループ化１受信状態情報）と、グループ化方式２における各グループに含まれる全チャネルの受信状態の平均値を表す受信状態情報（グループ化方式２におけるグループ個数分の情報；グループ化２受信状態情報）とのどちらかを選択する場合について説明した。
【０１０９】
本実施形態では、基地局装置１７００からそれぞれの端末装置３００へ通知要求する際、各端末装置３００に対して、グループ化方式１における各グループに含まれる全チャネルの受信状態の平均値を表す受信状態情報（グループ化方式１におけるグループ個数分の情報；グループ化１受信状態情報）と、グループ化方式２における各グループに含まれる全チャネルの受信状態の平均値を表す受信状態情報（グループ化方式２におけるグループ個数分の情報；グループ化２受信状態情報）と、グループ化方式３における各グループに含まれる全チャネルの受信状態の平均値を表す受信状態情報（グループ化方式３におけるグループ個数分の情報；グループ化３受信状態情報）とのいずれかを選択する場合について説明する。ここで、グループ化方式１からグループ化方式３までの各グループ化方式は、第４の実施形態で説明したグループ化方式と同様のグループ化方式を用いる。
【０１１０】
本実施形態における基地局装置１７００は、その機能ブロックのうち、基地局装置９００の通知要求決定部９１３に相当する通知要求決定部１７１３、およびスケジューリング部２１４に相当するスケジューリング部１３１４が、第２の実施形態とは異なる。基地局装置１７００および端末装置３００のその他の構成は第２の実施形態（図９、図３）と同様であり、遅延分散測定部９１８は第２の実施形態における遅延分散測定部９１８と同様であり、スケジューリング部１３１４は第４の実施形態におけるスケジューリング部１３１４と同様であるため、その説明は省略する。
【０１１１】
基地局装置１７００内の通知要求決定部１７１３は、遅延分散測定部９１８において測定された遅延分散測定結果と送信バッファ部２０１からの各端末装置３００宛の送信データ量情報とに基づいて、各端末装置３００に対して、グループ化方式１における各グループに含まれる全チャネルの受信状態の平均値を表す受信状態情報（グループ化方式１におけるグループ個数分の情報；グループ化１受信状態情報）と、グループ化方式２における各グループに含まれる全チャネルの受信状態の平均値を表す受信状態情報（グループ化方式２におけるグループ個数分の情報；グループ化１受信状態情報）と、グループ化方式３における各グループに含まれる全チャネルの受信状態の平均値を表す受信状態情報（グループ化方式３におけるグループ個数分の情報；グループ化３受信状態情報）と３種類の受信状態情報のうちのいずれを通知要求するかを決定する。なお、遅延分散測定部９１８は基地局１７００が具備するとして説明したが、端末装置３００が具備し、下りリンク信号のパイロット信号を用いて遅延分散を測定し、遅延分散測定結果を基地局装置１７００に報告するようにしてもよい。
【０１１２】
通知要求決定部１７１３における通知要求情報の決定動作の詳細について図１８を用いて説明する。図１８は、本実施形態における通知要求情報の決定の動作の一例を表すフローチャートである。まず通知要求決定部１７１３は、送信バッファ部２０１から各端末装置３００宛の送信データ量を取得し（Ｓ１８０１）、遅延分散測定部９１８から基地局装置１７００と各端末装置３００との間の伝搬路の遅延分散測定結果を取得し（Ｓ１８０２）、それぞれの端末装置３００（１番目からＮ番目の端末装置３００）について以下の処理を繰り返す（Ｓ１８０３からＳ１８０９のループ）。
【０１１３】
通知要求決定部１７１３は、それぞれの端末装置３００について、当該端末装置３００宛の送信データ量と所定の第１閾値を比較し（Ｓ１８０４）、送信データ量が所定の第１閾値以上である場合は、さらに当該端末装置３００宛における遅延分散測定結果と所定の第２閾値を比較し（Ｓ１８０５）、遅延分散測定結果が所定の第２閾値以上である場合は、当該端末装置３００に対してグループ化１受信状態情報を要求することを選択する（Ｓ１８０６）。また、通知要求決定部１７１３は、ステップＳ１８０４における比較で送信データ量が所定の第１閾値以上であり、かつステップＳ１８０５における比較で遅延分散測定結果が所定の第２閾値未満である場合は、当該端末装置３００に対してグループ化２受信状態情報を要求することを選択する（Ｓ１８０７）。また、通知要求決定部１７１３は、ステップＳ１８０４における比較で送信データ量が所定の第１閾値未満である場合は、当該端末装置３００に対してグループ化３受信状態情報を要求することを選択する（Ｓ１８０８）。
【０１１４】
なお、所定の第１閾値は、全端末装置３００宛の送信データ量の平均値、グループ化１受信状態情報を通知する端末装置数とグループ化２受信状態情報を通知する端末装置数が予め定めた割合となるように定めた値、通知時要求情報に応じて全端末装置から通知される受信状態情報の総情報量が予め定めた値以下となるような端末装置数の割合を実現する値、などを用いることが好ましいが、これに限られるものではなく、０より大きく、送信バッファ部に蓄積可能な各端末装置３００当たりの最大送信データ量以下の値であれば効果が得られる。
また、所定の第２閾値は、グループ化方式２によりグループ化する際、グループ内のすべてのチャネルを含む帯域幅が、遅延分散の逆数に定数を乗算することにより得られるコヒーレント帯域幅と一致するように定めた値を用いることが好ましいが、これに限られるものではなく、グループ化方式２によりグループ化する際に、各チャネルの受信状態測定結果の分散が、グループ化方式１によりグループ化する際の各チャネルの受信状態測定結果の分散と、ほぼ同様の値となるような遅延分散の値であれば効果が得られる。
【０１１５】
なお、上記の説明では、１個のグループ内の各チャネルの受信状態測定結果の分散を示す指標として、基地局装置１７００と端末装置３００との間の伝搬路の遅延分散を用いる場合について説明したが、これに限るものではない。例えば、基地局装置１７００と端末装置３００との間の伝搬路のコヒーレント帯域幅、グループ内の各チャネルの受信状態測定結果の中で最も良好な受信状態測定結果と最も劣悪な受信状態測定結果との差、グループ内の各チャネルの受信状態測定結果の分散を実際に算出した値など、グループ内の各チャネルの受信状態測定結果の分散に関連する他の指標を用いても良い。
さらに、以上の説明では３種類のグループ化方式の中から１つのグループ化方式を選択する場合について説明したが、３種類を超える数のグループ化方式の中から１つのグループ化方式を選択するようにしてもよい。
【０１１６】
このように、本実施形態によれば、複数の端末装置３００から基地局装置１７００へ受信状態情報を通知する際に、各端末装置３００宛の下りリンク送信データ量と各端末装置３００と基地局装置１７００との間の伝搬路の遅延分散とに応じて、グループ数の多いグループ化方式１における各グループに含まれる全チャネルの受信状態の平均値を表すグループ化１受信状態情報を通知するか、グループ化方式１よりグループ数の少ないグループ化方式２における各グループに含まれる全チャネルの受信状態の平均値を表すグループ２受信状態情報を通知するかを選択するか、グループ化方式２よりさらにグループ数の少ないグループ化方式３における各グループに含まれる全チャネルの受信状態の平均値を表すグループ３受信状態情報を通知するかを選択する。そのため、下りリンクで多くのリソースブロックを割り当て、多くの送信データを送信する必要のある端末装置３００については、グループ内のチャネル数が少ないため各チャネルの詳細な受信状態情報を得ることができ、各チャネルの詳細な受信状態情報に基づく効率的なスケジューリングおよび適応変調を優先的に行うことが可能となり、より高速な伝送が実現できる。さらに、多くの送信データを送信する必要のあっても、受信状態の周波数変動が小さく、少ないグループ数で詳細な受信状態情報を得ることができる端末装置３００については、グループ数を比較的少なくするため、それらの端末装置３００から上りリンクを用いて通知する受信状態情報の情報量を削減することができる。
【０１１７】
一方、下りリンクで送信すべきデータが比較的少ない端末装置３００については、グループ数が少ないため，それらの端末装置３００から上りリンクを用いて通知すべき受信状態情報の情報量を削減することができる。
以上から、システム全体において、各端末装置３００からの上りリンクでの受信状態情報の総通知量を抑えて効率の良い受信状態情報の通知を実現し、かつ、高速・大容量の通信を必要とする端末装置３００に対して効率的なスケジューリングと適応変調を適用し、システム全体の伝送効率を上げる効率的なスケジューリングと適応変調とを実現することが可能となる。
【０１１８】
［第６の実施形態］
図１９は、本実施形態における基地局装置１９００の構成を示す概略ブロック図である。上記各実施形態では、基地局装置からそれぞれの端末装置へ通知要求する受信状態情報を決定する基準として、送信バッファ部２０１に蓄積されている各端末装置宛の送信データの量を用いる場合について説明した。本実施形態における基地局装置１９００は、通知要求する受信状態情報を決定する基準として、送信バッファ部１９０１に蓄積されている各端末装置３００宛の送信データ量の時間変動量（以下、送信データの瞬時ビットレートと呼ぶ）またはその平均量（以下、送信データの平均ビットレートと呼ぶ）を用いる。
【０１１９】
このため、基地局装置１９００の機能ブロックのうち、基地局装置２００の送信バッファ部２０１に相当する送信バッファ部１９０１、および基地局装置２００の通知要求決定部２１３に相当する通知要求決定部１９１３が、第１の実施形態とは異なる。基地局装置１９００のその他の構成および端末装置３００の構成は、第１の実施形態（図２、図３）と同様であり、その説明は省略する。なお、ここでは、第１の実施形態について、その通知要求する受信状態情報を決定する基準を、送信データのデータ量から送信データの瞬時ビットレートまたは平均ビットレートに変更した場合について説明するが、同様にして第２から第５の実施形態についても瞬時ビットレートまたは平均ビットレートに変更してもよい。
【０１２０】
図１９において、送信バッファ部１９０１は、入力された送信データを送信先の端末装置３００毎にバッファに蓄積し、所定の時間内、例えば図１における１サブフレームの時間内に新たに送信バッファに追加された各端末装置３００宛の送信データ量すなわち送信データの瞬時ビットレート、もしくは該送信データ瞬時ビットレートの所定時間、例えば所定サブフレーム数にわたる平均値である送信データの平均ビットレートを算出し、通知要求決定部１９１３へ出力する。この送信バッファ部１９０１が出力する瞬時ビットレート、もしくは平均ビットレートが、本実施形態における端末装置３００各々に送信するデータ量の指標となる値である。
なお、各端末装置３００宛の送信データのビットレートとして、ネットワークの制御層や媒体アクセス制御層（Media Access Control層：ＭＡＣ層）などの上位層において該送信データに対応付けられたサービス品質（Quality of Service：ＱｏＳ）情報によって指示されるビットレートを用いても良い。この場合、各送信データに関するＱｏＳ情報が送信バッファ部１９０１に上位層から入力され、このＱｏＳ情報に基づいて各端末装置３００宛の送信データのビットレートを算出し、通知要求決定部１９１３へ出力する。
【０１２１】
通知要求決定部１９１３は、送信バッファ部１９０１からの各端末装置３００宛の送信データの瞬時ビットレートまたは送信データの平均ビットレートに基づいて、各端末装置３００に対して、グループ化方式１における各グループに含まれる全チャネルの受信状態の平均値を表す受信状態情報（グループ化方式１におけるグループ個数分の情報；以下、「グループ化１受信状態情報」という）と、グループ化方式２における各グループに含まれる全チャネルの受信状態の平均値を表す受信状態情報（グループ化方式２におけるグループ個数分の情報；以下、「グループ化２受信状態情報」という）とのどちらを通知要求するかを決定し、該決定結果を通知要求情報として下りリンク制御情報生成部２１５へ出力する。なお、本実施形態では、グループ化方式１とグループ化方式２は、第１の実施形態と同様のグループ化方式を用いる。
【０１２２】
次に、通知要求決定部１９１３における通知要求情報の決定動作の詳細について図２０を用いて説明する。図２０は、本実施形態における通知要求情報の決定の動作の一例を表すフローチャートである。まず通知要求決定部１９１３は、送信バッファ部１９０１から各端末装置宛の送信データの瞬時ビットレートまたは平均ビットレートを取得し（Ｓ２００１）、それぞれの端末装置３００（１番目からＮ番目の端末装置３００）について以下の処理を繰り返す（Ｓ２００２からＳ２００６のループ）。
【０１２３】
通知要求決定部１９１３は、それぞれの端末装置３００について、当該端末装置３００宛の送信データの瞬時ビットレートまたは平均ビットレートと、所定の閾値を比較し（Ｓ２００３）、送信データの瞬時ビットレートまたは平均ビットレートが所定の閾値以上である場合は、当該端末装置３００に対してグループ化１受信状態情報を要求することを選択する（Ｓ２００４）。また、通知要求決定部１９１３は、ステップＳ２００３の比較で送信データの瞬時ビットレートまたは平均ビットレートが所定の閾値未満である場合は、当該端末装置３００に対してグループ化２受信状態情報を要求することを選択する（Ｓ２００５）。
【０１２４】
なお、所定の閾値は、送信データの瞬時ビットレートまたは平均ビットレートの全端末装置３００の平均値、グループ化１受信状態情報を通知する端末装置数とグループ化２受信状態情報を通知する端末装置数が予め定めた割合となるように定めた値、通知時要求情報に応じて全端末装置から通知される受信状態情報の総情報量が予め定めた値以下となるような端末装置数の割合を実現する値などを用いることが好ましいが、これに限られるものではなく、０より大きく、下りリンクでの１端末装置３００当たりの最大通信速度（ビットレート）以下の値であれば効果が得られる。
【０１２５】
このように、本実施形態によれば、複数の端末装置３００から基地局装置１９００へ受信状態情報を通知する際に、各端末装置３００宛の下りリンク送信データの瞬時ビットレートまたは平均ビットレートに応じて、グループ数の多いグループ化方式１における各グループに含まれる全チャネルの受信状態の平均値を表すグループ化１受信状態情報を通知するか、グループ数の少ないグループ化方式２における各グループに含まれる全チャネルの受信状態の平均値を表すグループ２受信状態情報を通知するかを選択する。そのため、下りリンクで多くのリソースブロックを割り当て、単位時間当たりに多くの送信データを送信する必要のある端末装置３００については、グループ内のチャネル数が少ないため各チャネルの詳細な受信状態情報を得ることができ、各チャネル個別の詳細な受信状態情報に基づく効率的なスケジューリングおよび適応変調を優先的に行うことが可能となり、より高速な伝送が実現できる。
【０１２６】
一方、下りリンクで単位時間当たりに送信すべきデータが比較的少ない端末装置３００については、グループ数が少ないため、それらの端末装置３００から上りリンクを用いて通知すべき受信状態情報の情報量を削減することができる。
以上から、システム全体において、各端末装置３００からの上りリンクでの受信状態情報の総通知量を抑えて効率の良い受信状態情報の通知を実現し、かつ、高速・大容量の通信を必要とする端末装置３００に対して効率的なスケジューリングと適応変調を適用し、システム全体の伝送効率を上げる効率的なスケジューリングと適応変調とを実現することが可能となる。
【０１２７】
［第７の実施形態］
上記各実施形態では、ＯＦＤＭシステムを想定し、チャネルとは１つあるいは複数のサブキャリアを意味するものとして説明した。本実施形態では、ＭＩＭＯ（Multiple Input Multiple Output）−ＯＦＤＭシステムにおける適用方法の一例について、各送信アンテナの１つあるいは複数のサブキャリアをそれぞれチャネルとする場合を説明する。
図２１は、本実施形態における下りリンクのサブフレーム構成の一例を示した図である。基地局装置はＬ本（Ｌは２以上の整数）の送信アンテナから異なる信号を送信する。サブフレームは、送信アンテナＡ１からアンテナＡＬのそれぞれから送信されるＬ個の領域を含み、各領域はさらに周波数方向にＫ個（Ｋは自然数）の領域に分割されている。このＬ×Ｋ個の領域をそれぞれチャネルＣｈ１−１~ＣｈＫ−Ｌとする。このサブフレームは送信単位を意味するものとし、このサブフレームは、１回のスケジューリング処理においてチャネルの割り当てを行う範囲とする。また、サブフレームを時間軸方向に所定の時間長ＴＴＩ（Transmission Time Interval）でＴ個（Ｔは自然数）に分割し、１チャネルにおける１ＴＴＩ内をスケジューリングの単位（リソースブロック）とする。
【０１２８】
このようなサブフレーム構成のＭＩＭＯ−ＯＦＤＭシステムにおいても、チャネルあるいはリソースブロックという用語の示す領域が異なるのみで、上記各実施形態と同様な処理を適用することができる。
以上のように、サブフレーム内の複数のチャネルを用いて通信を行うシステムにおいて、各端末装置における各チャネルの受信状態が異なる可能性のあるシステムに対して、本発明を適用可能であり、システム全体において、各端末装置からの上りリンクでの受信状態情報の総通知量を抑えて効率の良い受信状態情報の通知を実現し、かつ、高速・大容量の通信を必要とする端末装置に対して効率的なスケジューリングと適応変調を適用し、システム全体の伝送効率を上げる効率的なスケジューリングと適応変調とを実現することが可能となる。
【０１２９】
［第８の実施形態］
本実施形態では、上記第１の実施形態においてさらに、通知要求決定部２１３は、端末装置３００に対して受信状態情報を最初に要求する場合に該端末装置３００に対してはグループ数の少ないグループ化方式２における各グループに含まれる全チャネルの受信状態の平均値を表すグループ２受信状態情報を要求する通知要求情報を生成する。図２２は、本実施形態における基地局装置２００と、ある１つの端末装置３００との間の最初の通知要求情報と受信状態情報の通知に関係する手順の一例を示した図である。なお、ここでは第１の実施形態において最初に通知要求を行う場合について説明するが、同様にして第２から第７の実施形態についても適用可能である。
【０１３０】
以下、図２２を用いて本実施形態について説明する。まず基地局装置２００は、ある端末装置３００宛の最初の下りリンク送信データが送信バッファ部２０１に入力されると（Ｓ２２０１）、該端末装置３００に対してグループ化２受信状態情報を要求する通知要求情報を生成し（Ｓ２２０２）、該通知要求情報を下りリンク制御情報の一部として該端末装置３００に通知する（Ｓ２２０３）。該端末装置３００は、グループ化２受信状態情報を要求する通知要求情報を受信し、下りリンクのパイロットシンボルから各チャネルに関する受信状態を測定し（Ｓ２２０４）、グループ化方式２における各グループに含まれる全チャネルの受信状態測定結果の平均値を算出し、各グループの該平均値を表すグループ化２受信状態情報を生成し（Ｓ２２０５）、基地局装置２００に対して通知する（Ｓ２２０６）。
【０１３１】
次に、基地局装置２００は、該端末装置３００からのグループ化２受信状態情報を受信し、その他の端末装置３００からの受信状態情報と合わせて、下りリンクのスケジューリングおよび適応変調を行い（Ｓ２２０７）、さらに該端末装置３００宛の送信データ量に基づいて該端末装置３００に要求する受信状態情報をグループ化１受信状態情報とグループ化２受信状態情報から選択し通知要求情報を生成し（Ｓ２２０８）、該通知要求情報を下りリンク制御情報の一部として該端末装置３００に通知する（Ｓ２２０９）。なお、図２２では、ステップＳ２２０８においてグループ化１受信状態情報が選択される場合の例を示しているが、グループ化２受信状態情報が選択される場合もある。
【０１３２】
該端末装置３００は、グループ化１受信状態情報を要求する通知要求情報を受信し、下りリンクのパイロットシンボルから各チャネルに関する受信状態を測定し（Ｓ２２１０）、グループ化方式１における各グループに含まれる全チャネルの受信状態測定結果の平均値を算出し、各グループの該平均値を表すグループ化１受信状態情報を生成し（Ｓ２２１１）、基地局装置２００に対して通知する（Ｓ２２１２）。以降、該端末装置３００宛の送信データが存在する間、ステップＳ２２０７からステップＳ２２１２の手順を繰り返す。なお、ステップＳ２２０２からステップＳ２２０６までが本実施形態における最初の通知要求情報と受信状態情報の通知の手順となる。
【０１３３】
また、図２２では、受信状態情報を最初に要求するタイミングとして、対象端末装置３００宛の最初の送信データが送信バッファ部２０１に入力されたタイミングとして説明したが、これに限定されるものではなく、例えば、対象端末装置３００が基地局装置２００に対して接続要求を行ったタイミング、基地局装置２００と対象端末装置３００の間で認証が完了したタイミング、端末装置３００が一時的に通信を中断している状態から復帰したタイミングなどにも適用できる。
【０１３４】
また、本実施形態では、基地局装置２００が最初に通知を要求する受信状態情報の種類を、グループ化２受信状態情報として説明したが、第４および第５の実施形態のように、受信状態情報の種類としてグループ化３受信状態情報まであるときは、グループ化３受信状態情報を要求するようにしてもよい。
【０１３５】
以上のように、本実施形態では、端末装置３００に対して受信状態情報を最初に要求する場合に該端末装置３００に対してはグループ数の少ないグループ化方式２における各グループに含まれる全チャネルの受信状態の平均値を表すグループ２受信状態情報を要求する。これにより、基地局装置２００と端末装置３００との間でデータ通信を開始する際に、グループ数が少ないため、それらの端末装置３００から上りリンクを用いて通知すべき受信状態情報の情報量を削減することができる。
【０１３６】
なお、上記第１〜第８の実施形態では、グループ内の各チャネルの受信状態を表す指標として、グループ内の全チャネルの受信状態の平均値を表す平均受信状態情報を用いる場合について説明したが、平均値に代えて、グループ内の全チャネルの受信状態の最大値、最小値、中央値など、グループ内の全チャネルの受信状態を代表する値を用いても良い。
また、上記第１〜第８の実施形態では、全てのチャネルがいずれかのグループに含まれ、かつ、１つまたは隣接する複数のチャネルをグループ化するグループ化方式を用いるとして説明したが、端末装置によって予め使用できるチャネルが制限されている場合などには、制限外のチャネルがグループに含まれないグループ化方式を用いてもよいし、隣接していないチャネルをグループ化するグループ化方式を用いてもよい。
【０１３７】
また、図２における送信バッファ部２０１、符号化部２０２、マッピング部２０３、ＩＦＦＴ部２０４、ＧＩ挿入部２０５、デマッピング部２１１、復号化部２１２、通知要求決定部２１３、スケジューリング部２１４、下りリンク制御情報生成部２１５、パイロット生成部２１６、受信状態情報記憶部２１７、もしくは、図３におけるＧＩ除去部３０４、ＦＦＴ部３０５、デマッピング部３０６、復号化部３０７、受信状態測定部３０８、受信状態情報生成部３０９、符号化部３１０、マッピング部３１１、復調制御部３１４、もしくは、図９における送信バッファ部２０１、符号化部２０２、マッピング部２０３、ＩＦＦＴ部２０４、ＧＩ挿入部２０５、デマッピング部９１１、復号化部２１２、通知要求決定部９１３、スケジューリング部２１４、下りリンク制御情報生成部２１５、パイロット生成部２１６、受信状態情報記憶部２１７、遅延分散測定部９１８、もしくは、図１１における送信バッファ部２０１、符号化部２０２、マッピング部２０３、ＩＦＦＴ部２０４、ＧＩ挿入部２０５、デマッピング部１１１１、復号化部２１２、通知要求決定部１１１３、スケジューリング部２１４、下りリンク制御情報生成部２１５、パイロット生成部２１６、受信状態情報記憶部２１７、ｆｄ測定部１１１９、もしくは、図１３における送信バッファ部２０１、符号化部２０２、マッピング部２０３、ＩＦＦＴ部２０４、ＧＩ挿入部２０５、デマッピング部２１１、復号化部２１２、通知要求決定部１３１３、スケジューリング部１３１４、下りリンク制御情報生成部２１５、パイロット生成部２１６、受信状態情報記憶部２１７、もしくは、図１７における送信バッファ部２０１、符号化部２０２、マッピング部２０３、ＩＦＦＴ部２０４、ＧＩ挿入部２０５、デマッピング部９１１、復号化部２１２、通知要求決定部１７１３、スケジューリング部１３１４、下りリンク制御情報生成部２１５、パイロット生成部２１６、受信状態情報記憶部２１７、遅延分散測定部９１８、もしくは、図１９における送信バッファ部１９０１、符号化部２０２、マッピング部２０３、ＩＦＦＴ部２０４、ＧＩ挿入部２０５、デマッピング部２１１、復号化部２１２、通知要求決定部１９１３、スケジューリング部２１４、下りリンク制御情報生成部２１５、パイロット生成部２１６、受信状態情報記憶部２１７の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【０１３８】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１３９】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【０１４０】
本発明は、下りリンクに複数のチャネルを用いる移動通信システムに用いて好適であるが、これに限定されない。
【図面の簡単な説明】
【０１４１】
【図１】この発明の第１の実施形態における下りリンクのサブフレーム構成の一例を示した図である。
【図２】同実施形態における基地局装置２００の構成を示す概略ブロック図である。
【図３】同実施形態における端末装置３００の構成を示す概略ブロック図である。
【図４】同実施形態におけるグループ化方式１を用いたチャネルのグループ化の様子の一例を示す図である。
【図５】同実施形態におけるグループ化方式２を用いたチャネルのグループ化の様子の一例を示す図である。
【図６】同実施形態における通知要求情報の決定の動作の一例を表すフローチャートである。
【図７】同実施形態におけるスケジューリング動作と変調パラメータ選択動作の一例を表すフローチャートである。
【図８】同実施形態におけるスケジューリング動作と変調パラメータ選択動作の一例を表すフローチャートである。
【図９】この発明の第２の実施形態における基地局装置９００の構成を示す概略ブロック図である。
【図１０】同実施形態における通知要求情報の決定の動作の一例を表すフローチャートである。
【図１１】この発明の第３の実施形態における基地局装置１１００の構成を示す概略ブロック図である。
【図１２】同実施形態における通知要求情報の決定の動作の一例を表すフローチャートである。
【図１３】この発明の第４の実施形態における基地局装置１３００の構成を示す概略ブロック図である。
【図１４】同実施形態における通知要求情報の決定の動作の一例を表すフローチャートである。
【図１５】同実施形態におけるスケジューリング動作と変調パラメータ選択動作の一例を表すフローチャートである。
【図１６】同実施形態におけるグループ化方式３を用いたチャネルのグループ化の様子の一例を示す図である。
【図１７】この発明の第５の実施形態における基地局装置１７００の構成を示す概略ブロック図である。
【図１８】同実施形態における通知要求情報の決定の動作の一例を表すフローチャートである。
【図１９】この発明の第６の実施形態における基地局装置１９００の構成を示す概略ブロック図である。
【図２０】同実施形態における通知要求情報の決定の動作の一例を表すフローチャートである。
【図２１】この発明の第７の実施形態における下りリンクのサブフレーム構成の一例を示した図である。
【図２２】この発明の第８の実施形態における基地局装置と端末装置との間の最初の受信状態情報の通知に関係する手順の一例を示した図である。
【符号の説明】
【０１４２】
２００、９００、１１００、１３００、１７００…基地局装置
２０１、１９０１…送信バッファ部
２０２…符号化部
２０３…マッピング部
２０４…ＩＦＦＴ部
２０５…ＧＩ挿入部
２０６…Ｄ／Ａ変換部
２０７…無線送信部
２０８…アンテナ部
２０９…無線受信部
２１０…Ａ／Ｄ変換部
２１１、９１１、１１１１…デマッピング部
２１２…復号化部
２１３、９１３、１１１３、１３１３、１７１３、１９１３…通知要求決定部
２１４、１３１４…スケジューリング部
２１５…下りリンク制御情報生成部
２１６…パイロット生成部
２１７…受信状態情報記憶部
３００…端末装置
３０１…アンテナ部
３０２…無線受信部
３０３…Ａ／Ｄ変換部
３０４…ＧＩ除去部
３０５…ＦＦＴ部
３０６…デマッピング部
３０７…復号化部
３０８…受信状態測定部
３０９…受信状態情報生成部
３１０…符号化部
３１１…マッピング部
３１２…Ｄ／Ａ変換部
３１３…無線送信部
３１４…復調制御部
９１８…遅延分散測定部
１１１９…ｆｄ測定部
【図１】
2008271200.tif 000004
【図２】
2008271200.tif 000005
【図３】
2008271200.tif 000006
【図４】
2008271200.tif 000007
【図５】
2008271200.tif 000008
【図６】
2008271200.tif 000009
【図７】
2008271200.tif 000010
【図８】
2008271200.tif 000011
【図９】
2008271200.tif 000012
【図１０】
2008271200.tif 000013
【図１１】
2008271200.tif 000014
【図１２】
2008271200.tif 000015
【図１３】
2008271200.tif 000016
【図１４】
2008271200.tif 000017
【図１５】
2008271200.tif 000018
【図１６】
2008271200.tif 000019
【図１７】
2008271200.tif 000020
【図１８】
2008271200.tif 000021
【図１９】
2008271200.tif 000022
【図２０】
2008271200.tif 000023
【図２１】
2008271200.tif 000024
【図２２】
2008271200.tif 000025